(57)【要約】      （修正有）【課題】モバイルブロードバンドアクセスに対する需要の増加に対応する、他の多元接続技術および電気通信標準規格に適用可能なＬＴＥ技術の改良技術を提供する。【解決手段】ベース層上でＮＯＭＡ通信のために構成されていない、第１のＵＥのための第１のデータリソースエレメントを送信７０２し、ＮＯＭＡ通信のために構成されているエンハンスメント層上で第２のＵＥのためのデータを送信７０４し、セル−固有の基準信号を送信７０６し、オプションで、第１のＵＥトラフィック電力比を送信７０８し、第１のＵＥをＱＰＳＫに限定する信号を送信７１０し、エンハンスメント層電力の決定を行う７１２。【選択図】図７
2020025286.tif 000002
【特許請求の範囲】
【請求項１】
基地局における非直交多元接続（ＮＯＭＡ）通信の方法であって、
ベース層上で第１のユーザ機器（ＵＥ）のための第１のデータリソースエレメントを送信することと、前記第１のＵＥはＮＯＭＡ通信のために構成されていない、
エンハンスメント層上で第２のＵＥのためのデータを送信することと、前記第２のＵＥはＮＯＭＡ通信のために構成されており、ここにおいて、前記ベース層は前記エンハンスメント層とオーバーレイされる、および
基準信号を送信することと
を備える、方法。
【請求項２】
前記基準信号はセル−固有の基準信号を備える、請求項１に記載の方法。
【請求項３】
前記第１のＵＥがＮＯＭＡ通信におけるベース層ＵＥであるときに前記第１のＵＥが従うべき第１のＵＥのトラフィック電力比を送信することをさらに備える、請求項２に記載の方法。
【請求項４】
前記第１のＵＥを４相位相変調（ＱＰＳＫ）を使用する変調および符号化スキームに限定するための信号を送信することをさらに備える、請求項１に記載の方法。
【請求項５】
第１のＵＥの復調−基準信号に対する第１のＵＥのトラフィック電力比は、０ｄＢである、請求項１に記載の方法。
【請求項６】
前記基準信号は復調−基準信号を備える、請求項１に記載の方法。
【請求項７】
前記復調−基準信号は、第１のＵＥのエンハンスメント層復調−基準信号および第２のＵＥの復調−基準信号を備え、ここにおいて、前記第１のＵＥのための前記第１のＵＥのエンハンスメント層復調−基準信号と前記第２のＵＥの復調−基準信号とはオーバーラップし、前記方法は、前記第１のＵＥのエンハンスメント層復調−基準信号および前記第２のＵＥの復調−基準信号を、チャネル推定または干渉推定のうちの少なくとも１つのために使用することをさらに備える、請求項６に記載の方法。
【請求項８】
前記第１のＵＥのためのトラフィック電力比は、前記復調−基準信号に対して０ｄＢであり、前記第２のＵＥのトラフィック電力比は、前記エンハンスメント層復調−基準信号に対して０ｄＢである、請求項７に記載の方法。
【請求項９】
空間層が前記第１のＵＥおよび前記第２のＵＥによって共有されているとき、組み合わされたコンステレーションが一様であると限定されているとき、変調オーダーペアを使用してベース層電力からエンハンスメント層電力を決定することをさらに備え、ここにおいて、前記第１のＵＥはベース層ＵＥを備え、前記第２のＵＥはエンハンスメント層ＵＥを備える、請求項１に記載の方法。
【請求項１０】
第１のユーザ機器（ＵＥ）における非直交多元接続（ＮＯＭＡ）通信の方法であって、前記第１のＵＥはＮＯＭＡ通信のために構成されており、前記方法は、
ベース層上で第１のデータリソースエレメントを受信することと、前記第１のデータリソースエレメントは第２のＵＥのために構成されており、前記第２のＵＥはＮＯＭＡ通信のために予め構成されていない、
エンハンスメント層上で前記第１のＵＥのためのデータを受信することと、前記ベース層は前記エンハンスメント層とオーバーレイされる、
基準信号を受信することと、および
前記第２のＵＥのための前記第１のデータリソースエレメントをキャンセルし、前記第１のＵＥのための前記データを復号することと
を備える、方法。
【請求項１１】
前記基準信号はセル−固有の基準信号を備える、請求項１０に記載の方法。
【請求項１２】
前記第２のＵＥがＮＯＭＡ通信におけるベース層ＵＥであるときに前記第２のＵＥが従うべき第２のＵＥのトラフィック電力比を受信することをさらに備える、請求項１１に記載の方法。
【請求項１３】
前記セル−固有の基準信号を使用して前記第１のデータリソースエレメントを復調することと、前記第２のＵＥのトラフィック電力比とは区別された別個のトラフィック電力比を使用して前記第２のＵＥのための第２のデータを復調することと、をさらに備える、請求項１２に記載の方法。
【請求項１４】
前記基準信号は、復調−基準信号を備える、請求項１０に記載の方法。
【請求項１５】
前記復調−基準信号は、第１のＵＥの復調−基準信号を備える、請求項１４に記載の方法。
【請求項１６】
前記復調−基準信号は、第１のＵＥのエンハンスメント層復調−基準信号および第２のＵＥの復調−基準信号を備え、ここにおいて、前記第１のＵＥのための前記第１のＵＥのエンハンスメント層復調−基準信号と前記第２のＵＥの復調−基準信号とはオーバーラップし、前記方法は、前記第１のＵＥのエンハンスメント層復調−基準信号および前記第２のＵＥの復調−基準信号を、チャネル推定または干渉推定のうちの少なくとも１つのために使用することをさらに備える、請求項１４に記載の方法。
【請求項１７】
非直交多元接続（ＮＯＭＡ）通信のための基地局であって、
メモリと、および
前記メモリに結合された少なくとも１つのプロセッサと、を備え、前記少なくとも１つのプロセッサは、
ベース層上で第１のユーザ機器（ＵＥ）のための第１のデータリソースエレメントを送信することと、前記第１のＵＥはＮＯＭＡ通信のために構成されていない、
エンハンスメント層上で第２のＵＥのためのデータを送信することと、前記第２のＵＥはＮＯＭＡ通信のために構成されており、ここにおいて、前記ベース層は前記エンハンスメント層とオーバーレイされる、および
基準信号を送信することと
を行うように構成される、基地局。
【請求項１８】
前記基準信号はセル−固有の基準信号を備える、請求項１７に記載の基地局。
【請求項１９】
前記少なくとも１つのプロセッサは、前記第１のＵＥがＮＯＭＡ通信におけるベース層ＵＥであるときに前記第１のＵＥが従うべき前記第１のＵＥのためのトラフィック電力比を送信するようにさらに構成される、請求項１８に記載の基地局。
【請求項２０】
前記少なくとも１つのプロセッサは、前記第１のＵＥを４相位相変調（ＱＰＳＫ）を使用する変調および符号化スキームに限定するための信号を送信するようにさらに構成される、請求項１７に記載の基地局。
【請求項２１】
前記基準信号は、復調−基準信号を備える、請求項１７に記載の基地局。
【請求項２２】
前記第１のＵＥのための復調−基準信号で除算された第１のＵＥのトラフィック電力比は０ｄＢである、請求項２１に記載の基地局。
【請求項２３】
前記復調−基準信号は、第２のＵＥのエンハンスメント層復調−基準信号および第１のＵＥの復調−基準信号を備え、ここにおいて、前記第２のＵＥのエンハンスメント層復調−基準信号および前記第１のＵＥの復調−基準信号、請求項２１に記載の基地局。
【請求項２４】
前記第１のＵＥのためのトラフィック電力比は前記復調−基準信号に対して０ｄＢであり、前記第２のＵＥのトラフィック電力比はエンハンスメント層復調−基準信号に対して０ｄＢである、請求項２１に記載の基地局。
【請求項２５】
前記少なくとも１つのプロセッサは、空間層が前記第１のＵＥおよび前記第２のＵＥによって共有されているとき、組み合わされたコンステレーションが一様であると限定されているとき、変調オーダーペアを使用してベース層電力からエンハンスメント層電力を決定するようにさらに構成され、ここにおいて、前記第１のＵＥはベース層ＵＥを備え、前記第２のＵＥはエンハンスメント層ＵＥを備える、請求項１７に記載の基地局。
【請求項２６】
ＮＯＭＡ通信のために構成された第１のユーザ機器（ＵＥ）を備える装置であって、前記第１のＵＥは、
メモリと、および
前記メモリに結合された少なくとも１つのプロセッサと、を備え、前記少なくとも１つのプロセッサは、
ベース層上で第１のデータリソースエレメントを受信することと、前記第１のデータリソースエレメントは第２のＵＥのために構成されており、前記第２のＵＥはＮＯＭＡ通信のために予め構成されていない、
エンハンスメント層上で前記第１のＵＥのためのデータを受信することと、前記ベース層は前記エンハンスメント層とオーバーレイされる、
基準信号を受信することと、および
前記第２のＵＥのための前記第１のデータリソースエレメントをキャンセルし、前記第１のＵＥのための前記データを復号することと、
を行うように構成される、装置。
【請求項２７】
前記基準信号は、セル−固有の基準信号を備える、請求項２６に記載の装置。
【請求項２８】
前記少なくとも１つのプロセッサは、前記第２のＵＥがＮＯＭＡ通信におけるベース層ＵＥであるときに前記第２のＵＥが従うべき前記第２のＵＥのためのトラフィック電力比を受信するようにさらに構成される、請求項２７に記載の装置。
【請求項２９】
前記少なくとも１つのプロセッサは、前記セル−固有の基準信号を使用して前記第１のデータリソースエレメントを復調し、前記第２のＵＥのトラフィック電力比とは区別された別個のトラフィック電力比を使用して第２のＵＥのための第２のデータを復調するようにさらに構成される、請求項２８に記載の装置。
【請求項３０】
前記基準信号は、復調−基準信号を備える、請求項２６に記載の装置。
【発明の詳細な説明】
【関連出願の相互参照】
【０００１】
[0001]本特許出願は、２０１５年７月１０日に出願された「レガシーユーザ機器をベース層として用いた非直交多元接続のための基準信号およびシグナリング設計」と題された米国仮出願第６２／１９１，１７０号、および２０１６年６月８日に出願された「レガシーユーザ機器をベース層として用いた非直交多元接続のための基準信号およびシグナリング設計」と題された米国特許出願第１５／１７７，０７５号の優先権を主張し、それらの全体は、参照によって本明細書に明示的に組み込まれる。
【０００２】
分野
[0002]本開示は、概して通信システムに関し、より具体的には非直交多元接続通信システムに関する。
【０００３】
背景
[0003]電話通信、映像、データ、メッセージング、ブロードキャストのような様々な電気通信サービスを提供するために、ワイヤレス通信システムが広く展開されている。典型的なワイヤレス通信システムは、利用可能なシステムリソースを共有することによって複数のユーザとの通信をサポートすることができる多元接続技術を採用し得る。そのような多元接続技術の例は、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ（登録商標））システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]これらの多元接続技術は、異なるワイヤレスデバイスに、市区町村レベル、国レベル、地方レベルだけでなく、世界的なレベルでの通信さえ可能にさせる、共通のプロトコルを提供するために、様々な電気通信標準規格に採用されてきている。例となる電気通信標準規格は、ロングタームエボリューション（ＬＴＥ）（登録商標）である。ＬＴＥは、第３世代パートナーシッププロジェクト（３ＧＰＰ（登録商標）によって公表された、ユニバーサルモバイル電気通信システム（ＵＭＴＳ）モバイル標準規格を向上させたもののセットである。ＬＴＥは、改良されたスペクトル効率、低減されたコスト、およびダウンリンク上でＯＦＤＭＡを使用し、アップリンク上でＳＣ−ＦＤＭＡを使用し、および多入力多出力（ＭＩＭＯ）アンテナ技術を使用して、改良されたサービスを通じて、モバイルブロードバンドアクセスをサポートするように設計されている。しかしながら、モバイルブロードバンドアクセスに対する需要が増加し続けるのに伴い、ＬＴＥ技術にはさらなる改良が必要とされている。これらの改良はまた、これらの技術を採用する他の多元接続技術および電気通信標準規格に適用可能であり得る。
【０００５】
概要
[0005]下記においては、１つ以上の態様の基本的な理解を提供するために、そのような態様の簡略化された概要を提示する。この概要は、全ての考慮された態様の広範な概観ではなく、全ての態様の鍵となる要素または重要な要素を識別することも、任意の態様または全ての態様の範囲を叙述することも意図されない。その唯一の目的は、後に提示されるより詳細な説明への前置きとして、簡略化された形態で１つ以上の態様のいくつかの概念を提示することである。
【０００６】
[0006]本開示のある態様において、方法、コンピュータプログラム製品、および装置が提供される。装置は、ベース層上で第１のユーザ機器（ＵＥ）のための第１のデータリソースエレメントを送信する。第１のＵＥは、非直交多元接続（ＮＯＭＡ）通信のために構成されていない。装置はまた、エンハンスメント層上で第２のＵＥのためのデータを送信する。第２のＵＥは、ＮＯＭＡ通信のために構成されている。追加的に、ベース層は、エンハンスメント層とオーバーレイされる。装置は、基準信号を送信する。レガシーＵＥとともに機能することは、非直交多元接続（ＮＯＭＡ）にとって有益であり得る。
【０００７】
[0007]本開示の別の態様において、方法、コンピュータプログラム製品、および装置が提供される。装置は、ベース層上で第１のデータリソースエレメントを受信する。第１のデータリソースエレメントは、第２のＵＥのために構成されている。第２のＵＥは、ＮＯＭＡ通信のために予め構成されていない。装置はまた、エンハンスメント層上で第１のＵＥのためのデータを受信する。ベース層は、エンハンスメント層とオーバーレイされる。追加的に、装置は、基準信号を受信する。装置はまた、第２のＵＥのための第１のデータリソースエレメントと第１のＵＥのためのデータとの両方を復号する。
【０００８】
[0008]本開示のある態様において、方法、コンピュータプログラム製品、および装置が提供される。装置は、ベース層上で第１のユーザ機器（ＵＥ）のための第１のデータリソースエレメントを送信する。第１のＵＥは、非直交多元接続（ＮＯＭＡ）通信のために構成されていない。装置はまた、エンハンスメント層上で第２のＵＥのためのデータを送信する。第２のＵＥは、ＮＯＭＡ通信のために構成されている。追加的に、ベース層は、エンハンスメント層とオーバーレイされる。装置は、基準信号を送信する。
【０００９】
[0009]本開示の別の態様において、方法、コンピュータプログラム製品、および装置が提供される。装置は、ベース層上で第１のデータリソースエレメントを受信する。第１のデータリソースエレメントは、第２のＵＥのために構成されている。第２のＵＥは、ＮＯＭＡ通信のために予め構成されていない。装置はまた、エンハンスメント層上で第１のＵＥのためのデータを受信する。ベース層は、エンハンスメント層とオーバーレイされる。追加的に、装置は、基準信号を受信する。装置はまた、第２のＵＥのための第１のデータリソースエレメントと第１のＵＥのためのデータとの両方を復号する。
【００１０】
[0010]本開示の別の態様において、基地局におけるＮＯＭＡ通信の方法は、ベース層上で第１のＵＥのための第１のデータリソースエレメントを送信することを含む。第１のＵＥは、ＮＯＭＡ通信のために構成されていない。方法は、エンハンスメント層上で第２のＵＥのためのデータを送信することを含む。第２のＵＥは、ＮＯＭＡ通信のために構成されている。ベース層は、エンハンスメント層とオーバーレイされる。方法はまた、基準信号を送信することを含む。
【００１１】
[0011]別の態様において、基準信号は、セル−固有の基準信号を含み得る。
【００１２】
[0012]別の態様は、第１のＵＥがＮＯＭＡ通信におけるベース層ＵＥであるときに第１のＵＥが従うべき第１のＵＥのトラフィック電力比を送信することをさらに含み得る。
【００１３】
[0013]別の態様は、第１のＵＥを、４相位相変調（ＱＰＳＫ）を使用する変調および符号化スキームに限定するための信号を送信することをさらに含み得る。
【００１４】
[0014]別の態様において、第２のＵＥのためのデータは、第２のＵＥのための第２のデータリソースエレメントを含み得る。
【００１５】
[0015]別の態様において、基準信号は復調−基準信号を含み得る。
【００１６】
[0016]別の態様において、復調−基準信号は、第１のＵＥのための復調−基準信号を含み得る。
【００１７】
[0017]別の態様において、第１のＵＥの復調−基準信号に対する第１のＵＥのトラフィック電力比は、０ｄＢであり得る。
【００１８】
[0018]別の態様において、復調−基準信号は、第２のＵＥのためのエンハンスメント層復調−基準信号および第１のＵＥのための復調−基準信号を含み得る。エンハンスメント層復調−基準信号および第１のＵＥのための復調−基準信号は、オーバーラップする。
【００１９】
[0019]別の態様において、第１のＵＥのためのトラフィック電力比は、復調−基準信号に対して０ｄＢであり得、第２のＵＥのトラフィック電力比は、エンハンスメント層復調−基準信号に対して０ｄＢであり得る。
【００２０】
[0020]別の態様は、組み合わされたコンステレーションが一様であると限定されているとき、空間層が第１のＵＥおよび第２のＵＥによって共有されているとき、変調オーダーペア（modulation order pair）を使用して、ベース層電力からエンハンスメント層電力を決定することをさらに含み得る。第１のＵＥは、ベース層ＵＥを含み得、第２のＵＥは、エンハンスメント層ＵＥを含み得る。
【００２１】
[0021]別の態様は、ベース層空間層の数を決定することによって、エンハンスメント層のみからなる空間層電力を計算することと、エンハンスメント層空間層の数を決定することと、ベース層についてのトラフィック電力比に基づいて合計ベース層電力を決定することと、空間層の所与の変調オーダーペアを用いて各共有空間層上のエンハンスメント層電力を計算することと、共有空間層における合計エンハンスメント層電力を計算することと、第２のＵＥトラフィック電力比からの全ての層にわたる合計エンハンスメント層電力を計算することとをさらに含み得る。共有空間層における合計エンハンスメント層電力と、第２のＵＥトラフィック電力比からの全ての層にわたる合計エンハンスメント層電力との差は、エンハンスメント層のみからなる空間層に利用可能な合計エンハンスメント層電力を含む。態様はまた、エンハンスメント層のみからなる空間層に利用可能な合計エンハンスメント層電力を、全てのエンハンスメント層のみからなる空間層間で一様に分割することを含む。
【００２２】
[0022]別の態様は、エンハンスメント層のために全ての空間層にわたって均一に分割され得るエンハンスメント層トラフィック電力比電力を使用して、エンハンスメント層トラフィック電力比に基づいて、エンハンスメント層についての電力を決定することをさらに含み得る。
【００２３】
[0023]別の態様において、ＮＯＭＡ通信のために構成された第１のＵＥにおけるＮＯＭＡ通信の方法は、ベース層上で第１のデータリソースエレメントを受信することを含む。第１のデータリソースエレメントは、第２のＵＥのために構成されている。第２のＵＥは、ＮＯＭＡ通信のために予め構成されていない。方法は、エンハンスメント層上で第１のＵＥのためのデータを受信することを含む。ベース層は、エンハンスメント層とオーバーレイされる。方法は、基準信号を受信すること、および第２のＵＥのための第１のデータリソースエレメントと第１のＵＥのためのデータとの両方を復号することを含む。
【００２４】
[0024]別の態様において、基準信号は、セル−固有の基準信号を含み得る。
【００２５】
[0025]別の態様は、第１のＵＥがＮＯＭＡ通信におけるベース層ＵＥであるときに第１のＵＥが従うべき第１のＵＥのトラフィック電力比を受信することをさらに含み得る。
【００２６】
[0026]別の態様は、セル−固有の基準信号を使用して、第１のデータリソースエレメントを復調すること、および第１のＵＥのトラフィック電力比とは区別された別個のトラフィック電力比を使用して、第２のＵＥのためのデータを復調することをさらに含み得る。
【００２７】
[0027]別の態様において、第２のＵＥのためのデータは、第２のＵＥのための第２のデータリソースエレメントを含み得る。
【００２８】
[0028]別の態様において、基準信号は、復調−基準信号を含み得る。
【００２９】
[0029]別の態様において、復調−基準信号は、第１のＵＥのための復調−基準信号であり得る。
【００３０】
[0030]別の態様において、復調−基準信号は、第１のＵＥのためのエンハンスメント層復調−基準信号および第２のＵＥのための復調−基準信号を含み得る。第１のＵＥのためのエンハンスメント層復調−基準信号および第２のＵＥのための復調−基準信号は、オーバーラップし得る。ある態様は、チャネル推定または干渉推定のうちの少なくとも１つのために、エンハンスメント層復調−基準信号および第２のＵＥのための復調−基準信号を使用することをさらに含み得る。
【００３１】
[0031]別の態様は、干渉除去を実行することをさらに含み得る。
【００３２】
[0032]別の態様において、ＮＯＭＡ通信のための基地局は、ベース層上で第１のＵＥのための第１のデータリソースエレメントを送信するための手段を含む。第１のＵＥは、ＮＯＭＡ通信のために構成されない。方法は、エンハンスメント層上で第２のＵＥのためのデータを送信するための手段を含む。第２のＵＥは、ＮＯＭＡ通信のために構成され得る。ベース層は、エンハンスメント層とオーバーレイされ得る。方法はまた、基準信号を送信するための手段を含み得る。
【００３３】
[0033]別の態様において、基準信号は、セル−固有の基準信号を含み得る。
【００３４】
[0034]別の態様は、第１のＵＥがＮＯＭＡ通信におけるベース層ＵＥであるときに第１のＵＥが従うべき第１のＵＥのためのトラフィック電力比を送信するための手段をさらに含み得る。
【００３５】
[0035]別の態様は、第１のＵＥを、ＱＰＳＫを使用する変調および符号化スキームに限定するための信号を送信するための手段をさらに含み得る。
【００３６】
[0036]別の態様において、第２のＵＥのためのデータは、第２のＵＥのための第２のデータリソースエレメントを含み得る。
【００３７】
[0037]別の態様において、基準信号は、復調−基準信号を含み得る。
【００３８】
[0038]別の態様において、復調−基準信号は、第１のＵＥのための復調−基準信号を含み得る。
【００３９】
[0039]別の態様において、第１のＵＥのための復調−基準信号に対する第１のＵＥのトラフィック電力比は、０ｄＢであり得る。
【００４０】
[0040]別の態様において、復調−基準信号は、第２のＵＥのためのエンハンスメント層復調−基準信号および第１のＵＥのためのレガシー復調−基準信号を含み得る。エンハンスメント層復調−基準信号および第１のＵＥのための復調−基準信号は、オーバーラップし得る。
【００４１】
[0041]別の態様において、第１のＵＥのためのトラフィック電力比は、復調−基準信号に対して０ｄＢであり得、第２のＵＥのトラフィック電力比は、エンハンスメント層復調−基準信号に対して０ｄＢであり得る。
【００４２】
[0042]別の態様は、空間層が第１のＵＥおよび第２のＵＥによって共有されているとき、組み合わされたコンステレーションが一様であると限定されているとき、変調オーダーペアを使用して、ベース層電力からエンハンスメント層電力を決定するための手段をさらに含み得る。第１のＵＥは、ベース層ＵＥを含み得、第２のＵＥは、エンハンスメント層ＵＥを含み得る。
【００４３】
[0043]別の態様は、ベース層空間層の数を決定する手段を含むエンハンスメント層空間層電力を計算するための手段と、エンハンスメント層空間層の数を決定するための手段と、ベース層についてのトラフィック電力比に基づいて合計ベース層電力を決定するための手段と、空間層の所与の変調オーダーペアを用いて各共有空間層上のエンハンスメント層電力を計算するための手段と、共有空間層における合計エンハンスメント層電力を計算するための手段と、第２のＵＥトラフィック電力比からの全ての層にわたる合計エンハンスメント層電力を計算するための手段とを含み得る。共有空間層における合計エンハンスメント層電力と、第２のＵＥトラフィック電力比からの全ての層にわたる合計エンハンスメント層電力との差は、エンハンスメント層のみからなる空間層に利用可能な合計エンハンスメント層電力を含む。態様はまた、エンハンスメント層のみからなる空間層に利用可能な合計エンハンスメント層電力を、全てのエンハンスメント層のみからなる空間層間で一様に分割するための手段を含み得る。
【００４４】
[0044]別の態様は、エンハンスメント層のために全ての空間層にわたって均一に分割され得るエンハンスメント層トラフィック電力比電力を使用して、エンハンスメント層トラフィック電力比に基づいて、エンハンスメント層についての電力を決定するための手段をさらに含み得る。
【００４５】
[0045]別の態様において、ＮＯＭＡ通信のために構成された第１のＵＥを含む装置は、ベース層上で第１のデータリソースエレメントを受信するための手段を含む。第１のデータリソースエレメントは、第２のＵＥのために構成されている。第２のＵＥは、ＮＯＭＡ通信のために予め構成されていない。装置は、エンハンスメント層上で第１のＵＥのためのデータを受信するための手段を含む。ベース層は、エンハンスメント層とオーバーレイされる。装置は、基準信号を受信するための手段、および第２のＵＥのための第１のデータリソースエレメントと第１のＵＥのためのデータとの両方を復号するための手段を含む。
【００４６】
[0046]ある態様において、基準信号は、セル−固有の基準信号を含み得る。
【００４７】
[0047]ある態様は、第２のＵＥがＮＯＭＡ通信におけるベース層ＵＥであるときに第２のＵＥが従うべき第２のＵＥのためのトラフィック電力比を受信するための手段をさらに含み得る。
【００４８】
[0048]ある態様は、セル−固有の基準信号を使用して、第１のデータリソースエレメントを復調するための手段、および第２のＵＥのためのトラフィック電力比とは区別された別個のトラフィック電力比を使用して、第２のＵＥのためのデータを復調するための手段をさらに含み得る。
【００４９】
[0049]ある態様において、第２のＵＥのためのデータは、第２のＵＥのための第２のデータリソースエレメントを含み得る。
【００５０】
[0050]ある態様において、基準信号は、復調−基準信号を含み得る。
【００５１】
[0051]ある態様において、復調−基準信号は、第１のＵＥのための復調−基準信号を含み得る。
【００５２】
[0052]ある態様において、復調−基準信号は、エンハンスメント層復調−基準信号および第２のＵＥのための復調−基準信号を含み得る。エンハンスメント層復調−基準信号および第２のＵＥのための復調−基準信号は、オーバーラップし得る。装置は、チャネル推定または干渉推定のうちの少なくとも１つのために、エンハンスメント層復調−基準信号および第２のＵＥのための復調−基準信号を使用するための手段をさらに含み得る。
【００５３】
[0053]ある態様は、干渉除去を実行するための手段をさらに含み得る。
【００５４】
[0054]ある態様において、ＮＯＭＡ通信のための基地局は、メモリと、メモリに結合された少なくとも１つのプロセッサとを含む。プロセッサは、ベース層上で第１のＵＥのための第１のデータリソースエレメントを送信するように構成されている。第１のＵＥは、ＮＯＭＡ通信のために構成されていない。プロセッサは、エンハンスメント層上で第２のＵＥのためのデータを送信するように構成されている。第２のＵＥは、ＮＯＭＡ通信のために構成されている。ベース層は、エンハンスメント層とオーバーレイされる。プロセッサは、基準信号を送信するように構成されている。
【００５５】
[0055]ある態様において、基準信号は、セル−固有の基準信号を含み得る。
【００５６】
[0056]ある態様において、プロセッサは、第１のＵＥがＮＯＭＡ通信におけるベース層ＵＥであるときに第１のＵＥが従うべき第１のＵＥのためのトラフィック電力比を送信するようにさらに構成され得る。
【００５７】
[0057]ある態様において、プロセッサは、第１のＵＥを、ＱＰＳＫを使用する変調および符号化スキームに限定するための信号を送信するようにさらに構成され得る。
【００５８】
[0058]ある態様において、第２のＵＥのためのデータは、第２のＵＥのための第２のデータリソースエレメントを含み得る。
【００５９】
[0059]ある態様において、基準信号は、復調−基準信号を含み得る。
【００６０】
[0060]ある態様において、復調−基準信号は、第１のＵＥのための復調−基準信号を含み得る。
【００６１】
[0061]ある態様において第１のＵＥのための復調−基準信号によって除された第１のＵＥのためのトラフィック電力比は、０ｄＢであり得る。
【００６２】
[0062]ある態様において、復調−基準信号は、第２のＵＥのためのエンハンスメント層復調−基準信号および第１のＵＥのための復調−基準信号を含み得る。エンハンスメント層復調−基準信号および第１のＵＥのための復調−基準信号は、オーバーラップし得る。
【００６３】
[0063]ある態様において、第１のＵＥのためのトラフィック電力比は、復調−基準信号に対して０ｄＢであり得、第２のＵＥのトラフィック電力比は、エンハンスメント層復調−基準信号に対して０ｄＢであり得る。
【００６４】
[0064]ある態様において、プロセッサは、空間層が第１のＵＥおよび第２のＵＥによって共有されているとき、組み合わされたコンステレーションが一様であると限定されているとき、変調オーダーペアを使用して、ベース層電力からエンハンスメント層電力を決定するようにさらに構成され得る。第１のＵＥは、ベース層ＵＥを含み得、第２のＵＥは、エンハンスメント層ＵＥを含み得る。
【００６５】
[0065]ある態様において、プロセッサは、ベース層空間層の数を決定することによってエンハンスメント層空間層の数を計算し、エンハンスメント層空間層の数を決定し、ベース層についてのトラフィック電力比に基づいて合計ベース層電力を決定し、空間層の所与の変調オーダーペアを用いて各共有空間層上のエンハンスメント層電力を計算し、共有空間層における合計エンハンスメント層電力を計算し、第２のＵＥトラフィック電力比からの全ての層にわたる合計エンハンスメント層電力を計算するようにさらに構成され得る。共有空間層における合計エンハンスメント層電力と、第２のＵＥトラフィック電力比からの全ての層にわたる合計エンハンスメント層電力との差は、エンハンスメント層のみからなる空間層に利用可能な合計エンハンスメント層電力を含み得る。態様はまた、エンハンスメント層のみからなる空間層に利用可能な合計エンハンスメント層電力を、全てのエンハンスメント層のみからなる空間層間で一様に分割することをさらに含み得る。
【００６６】
[0066]ある態様は、エンハンスメント層のために全ての空間層にわたって均一に分割され得るエンハンスメント層トラフィック電力比電力を使用して、エンハンスメント層トラフィック電力比に基づいて、エンハンスメント層についての電力を決定することをさらに含み得る。
【００６７】
[0067]ある態様において、第１のＵＥを含む装置は、ＮＯＭＡ通信のために構成されている。第１のＵＥは、メモリと、メモリに結合された少なくとも１つのプロセッサとを含む。プロセッサは、ベース層上で第１のデータリソースエレメントを受信するように構成されている。第１のデータリソースエレメントは、第２のＵＥのために構成され得る。第２のＵＥは、ＮＯＭＡ通信のために予め構成されていない。プロセッサは、エンハンスメント層上で第１のＵＥのためのデータを受信するように構成されている。ベース層は、エンハンスメント層とオーバーレイされ得る。プロセッサは、基準信号を受信し、および第２のＵＥのための第１のデータリソースエレメントと第１のＵＥのためのデータとの両方を復号するように構成されている。
【００６８】
[0068]ある態様において、基準信号は、セル−固有の基準信号を含み得る。
【００６９】
[0069]ある態様において、プロセッサは、第２のＵＥがＮＯＭＡ通信におけるベース層ＵＥであるときに第２のＵＥが従うべき第２のＵＥのためのトラフィック電力比を受信するようにさらに構成され得る。
【００７０】
[0070]ある態様において、プロセッサは、セル−固有の基準信号を使用して、第１のデータリソースエレメントを復調し、第１のＵＥのトラフィック電力比とは区別された別個のトラフィック電力比を使用して、第２のＵＥのためのデータを復調するようにさらに構成され得る。
【００７１】
[0071]一態様において、第２のＵＥのためのデータは、第２のＵＥのための第２のデータリソースエレメントを含み得る。
【００７２】
[0072]一態様において、基準信号は、復調−基準信号を含み得る。
【００７３】
[0073]一態様において、復調−基準信号は、第１のＵＥのための復調−基準信号を含み得る。
【００７４】
[0074]一態様において、復調−基準信号は、第１のＵＥのためのエンハンスメント層復調−基準信号および第２のＵＥのための復調−基準信号を含み得る。第１のＵＥのためのエンハンスメント層復調−基準信号および第２のＵＥのための復調−基準信号は、オーバーラップし得る。プロセッサは、チャネル推定または干渉推定のうちの少なくとも１つのために、エンハンスメント層復調−基準信号および第２のＵＥのための復調−基準信号を使用するようにさらに構成され得る。
【００７５】
[0075]一態様において、プロセッサは、干渉除去を実行するようにさらに構成され得る。
【００７６】
[0076]一態様において、コンピュータ可読媒体は、ワイヤレス通信のためのコンピュータ実施可能なコードを記憶する。コンピュータ可読媒体は、ベース層上で第１のＵＥのための第１のデータリソースエレメントを送信するためのコードを含む。第１のＵＥは、ＮＯＭＡ通信のために構成されていない。コンピュータ可読媒体は、エンハンスメント層上で第２のＵＥのためのデータを送信するためのコードを含む。第２のＵＥは、ＮＯＭＡ通信のために構成されている。ベース層は、エンハンスメント層でオーバーレイされる。コンピュータ可読媒体は、基準信号を送信するためのコードを含む。
【００７７】
[0077]一態様において、コンピュータ可読媒体は、ワイヤレス通信のためのコンピュータ実施可能なコードを記憶する。コンピュータ可読媒体は、ベース層上で第１のデータリソースエレメントを受信するためのコードを含む。第１のデータリソースエレメントは、第２のＵＥのために構成され得る。第２のＵＥは、ＮＯＭＡ通信のために構成され得ない。
【００７８】
[0078]コンピュータ可読媒体は、エンハンスメント層上で第１のＵＥのためのデータを受信するためのコードを含み得る。ベース層は、エンハンスメント層でオーバーレイされ得る。コンピュータ可読媒体は、基準信号を受信するためのコード、および第２のＵＥのための第１のデータリソースエレメントと第１のＵＥのためのデータとの両方を復号するためのコードを含み得る。
【００７９】
[0079]別の態様において、復調−基準信号は、第１のＵＥエンハンスメント層復調−基準信号および第２のＵＥ復調−基準信号を含み得る。第１のＵＥのための第１のＵＥエンハンスメント層復調−基準信号および第２のＵＥ復調−基準信号は、オーバーラップし得る。
【００８０】
[0080]一態様において、方法は、チャネル推定または干渉推定のうちの少なくとも１つのために、第１のＵＥエンハンスメント層復調−基準信号および第２のＵＥ復調−基準信号を使用することをさらに含み得る。
【００８１】
[0081]別の態様において、復調−基準信号は、第２のＵＥエンハンスメント層復調−基準信号および第１のＵＥ復調−基準信号を含み得る。
【００８２】
[0082]別の態様は、空間層が第１のＵＥおよび第２のＵＥによって共有されるとき、組み合わされたコンステレーションが一様であると限定されているとき、変調オーダーペアを使用して、ベース層電力からエンハンスメント層電力を決定することをさらに含み得る。第１のＵＥは、ベース層ＵＥを含み得、第２のＵＥは、エンハンスメント層ＵＥを含み得る。
【００８３】
[0083]別の態様において、基準信号は、セル−固有の基準信号を含み得る。
【００８４】
[0084]別の態様は、第２のＵＥがＮＯＭＡ通信におけるベース層ＵＥであるときに第２のＵＥが従うべき第２のＵＥのトラフィック電力比を受信することをさらに含み得る。
【００８５】
[0085]別の態様は、セル−固有の基準信号を使用して、第１のデータリソースエレメントを復調すること、および第２のＵＥトラフィック電力比とは区別された別個のトラフィック電力比を使用して、第２のＵＥのためのデータ復調することをさらに含み得る。
【００８６】
[0086]別の態様において、基準信号は、復調−基準信号を含み得る。
【００８７】
[0087]別の態様において、第１のＵＥ復調−基準信号に関係する第１のＵＥトラフィック電力比は、０ｄＢであり得る。
【００８８】
[0088]別の態様において、第１のＵＥのためのトラフィック電力比は、０ｄＢ割る復調−基準信号であり得、第２のＵＥトラフィック電力比は、０ｄＢ割るエンハンスメント層復調−基準信号であり得る。
【００８９】
[0089]別の態様において、復調−基準信号は、第１のＵＥ復調−基準信号を含み得る。
【００９０】
[0090]別の態様において、プロセッサは、空間層が第１のＵＥおよび第２のＵＥによって共有されているとき、組み合わされたコンステレーションが一様であると限定されているとき、変調オーダーペアを使用して、ベース層電力からエンハンスメント層電力を決定するようにさらに構成され得る。第１のＵＥは、ベース層ＵＥを含み得、第２のＵＥは、エンハンスメント層ＵＥを含み得る。
【００９１】
[0091]別の態様において、プロセッサは、セル−固有の基準信号を使用して、第１のデータリソースエレメントを復調し、第２のＵＥトラフィック電力比とは区別された別個のトラフィック電力比を使用して、第２のＵＥのためのデータを復調するようにさらに構成され得る。
【００９２】
[0092]別の態様において、ＮＯＭＡ通信のために構成されている第１のＵＥにおけるＮＯＭＡ通信の方法は、ベース層上で第１のデータリソースエレメントを受信することを含む。第１のデータリソースエレメントは、第２のＵＥのために構成され得る。第２のＵＥは、ＮＯＭＡ通信のために予め構成されない。方法はまた、エンハンスメント層上で第１のＵＥのためのデータを受信することを含む。ベース層は、エンハンスメント層でオーバーレイされ得る。追加的に、方法はまた、基準信号を受信することと、第２のＵＥのための第１のデータリソースエレメントをキャンセルすること（canceling）と、第１のＵＥのためのデータを復号することとを含む。
【００９３】
[0093]別の態様において、ＮＯＭＡ通信のための基地局は、メモリと、メモリに結合された少なくとも１つのプロセッサとを含む。プロセッサは、ベース層上で第１のＵＥのための第１のデータリソースエレメントを送信するように構成されている。第１のＵＥは、ＮＯＭＡ通信のために構成されていない。プロセッサはまた、エンハンスメント層上で第２のＵＥのためのデータを送信するように構成されている。第２のＵＥは、ＮＯＭＡ通信のために構成され得る。ベース層は、エンハンスメント層でオーバーレイされる。追加的に、プロセッサは、基準信号を送信する。
【００９４】
[0094]別の態様において、装置は、ＮＯＭＡ通信のために構成された第１のＵＥである。第１のＵＥは、メモリと、メモリに結合された少なくとも１つのプロセッサとを含む。プロセッサは、ベース層上で第１のデータリソースエレメントを受信するように構成されている。第１のデータリソースエレメントは、第２のＵＥのために構成されている。第２のＵＥは、ＮＯＭＡ通信のために予め構成されていない。追加的に、プロセッサは、エンハンスメント層上で第１のＵＥのためのデータを受信するように構成されている。ベース層は、エンハンスメント層でオーバーレイされる。プロセッサはまた、基準信号を受信し、第２のＵＥのための第１のデータリソースエレメントをキャンセルし、第１のＵＥのためのデータを復号するように構成されている。
【００９５】
[0095]上述した目的および関連する目的の達成のために、１つ以上の態様は、後に十分に説明され、特許請求の範囲内において特に指摘される特徴を備える。次の説明および付属の図面は、１つ以上の態様のある特定の例証的な特徴を詳細に記載する。これらの特徴は、しかしながら、様々な態様の原理が用いられ得る様々な手法のほんの一部を示しており、この説明は、全てのそのような態様およびそれらの同等物を含むように意図される。
【図面の簡単な説明】
【００９６】
【図１】[0096]図１は、通信システムおよびアクセスネットワークの例を例証する図である。
【図２Ａ】[0097]図２Ａは、ＤＬフレーム構造のＬＴＥの例を例証する図である。
【図２Ｂ】図２Ｂは、ＤＬフレーム構造内のＤＬチャネルのＬＴＥの例を例証する図である。
【図２Ｃ】図２Ｃは、ＵＬフレーム構造のＬＴＥの例を例証する図である。
【図２Ｄ】図２Ｄは、ＵＬフレーム構造内のＵＬチャネルのＬＴＥの例を例証する図である。
【図３】[0098]図３は、アクセスネットワークにおける発展型（Evolved）ノードＢ（ｅＮＢ）とユーザ機器（ＵＥ）とを例証する図である。
【図４】[0099]図４は、本明細書において説明されるシステムおよび方法に従う、非直交多元接続（ＮＯＭＡ）通信システムの図である。
【図５】[00100]図５は、複数の空間層にわたるベース層およびエンハンスメント層のための電力を例証する図である。
【図６】[00101]図６は、複数の空間層にわたるベース層およびエンハンスメント層のための電力を例証する別の図である。
【図７】[00102]図７は、本明細書において説明されるシステムおよび方法に従う、ワイヤレス通信の方法のフローチャートである。
【図８】[00103]図８は、本明細書において説明されるシステムおよび方法に従う、ワイヤレス通信の方法の別のフローチャートである。
【図９】[00104]図９は、本明細書において説明されるシステムおよび方法に従う、ワイヤレス通信の方法の別のフローチャートである。
【図１０】[00105]図１０は、例示的な装置における異なる手段／コンポーネント間でのデータフローを例証する概念的データフロー図である。
【図１１】[00106]図１１は、処理システムを採用する装置のためのハードウェア実装の例を例証する図である。
【図１２】[00107]図１２は、例示的な装置における異なる手段／コンポーネント間のデータフローを例証する概念的なデータフロー図である。
【図１３】[00108]図１３は、処理システムを採用する装置のためのハードウェア実装の例を例証する図である。
【詳細な説明】
【００９７】
[00109]添付の図面に関連して以下に述べられる詳細な説明は、様々な構成の説明を意図したものであり、本明細書において説明される概念が実現され得る、唯一の構成を表示することを意図したものではない。詳細な説明は、様々な概念の完全な理解を提供するために、具体的な詳細を含む。しかしながら、これらの概念がこれらの具体的な詳細なしに実現され得ることが当業者にとって明らかになる。いくつかの事例において、そのような概念をあいまいにすることを避けるために、よく知られた構造およびコンポーネントがブロック図形式で指し示される。
【００９８】
[00110]ここでは、電気通信システムのいくつかの態様が、様々な装置および方法に関連して提示される。これらの装置および方法は、以下の詳細な説明において説明され、添付の図面において、様々なブロック、コンポーネント、回路、プロセス、アルゴリズム、等（集合的に「エレメント」と称される）によって例証されている。これらのエレメントは、電子ハードウェア、コンピュータソフトウェア、またはこれらの任意の組み合わせを使用して実装され得る。そのようなエレメントがハードウェアとして実装されるかソフトウェアとして実装されるかは、システム全体に課された特定の用途および設計の制約に依存する。
【００９９】
[00111]例として、エレメント、またはエレメントの任意の一部、またはエレメントの任意の組み合わせは、１つ以上のプロセッサを含む「処理システム」で実装され得る。プロセッサの例は、本開示を通して説明される様々な機能を実行するように構成された、マイクロプロセッサ、マイクロコントローラ、グラフィック処理ユニット（ＧＰＵ）、中央処理ユニット（ＣＰＵ）、アプリケーションプロセッサ、デジタルシグナルプロセッサ（ＤＳＰ）、縮小命令セットコンピューティング（ＲＩＳＣ）プロセッサ、システムオンチップ（ＳｏＣ）、ベースバンドプロセッサ、フィールドプログラマブルゲートアレイ（ＦＰＧＡ）、プログラマブルロジックデバイス（ＰＬＤ）、状態機械、ゲートロジック、ディスクリートハードウェア回路、および他の適切なハードウェアを含む。処理システムにおける１つ以上のプロセッサは、ソフトウェアを実施し得る。ソフトウェア、ファームウェア、ミドルウェア、マイクロコード、ハードウェア記述言語、またはその他の呼称で称されるかどうかに関係なく、ソフトウェアは、命令、命令セット、コード、コードセグメント、プログラムコード、プログラム、サブプログラム、ソフトウェアコンポーネント、アプリケーション、ソフトウェアアプリケーション、ソフトウェアパッケージ、ルーチン、サブルーチン、オブジェクト、実行ファイル、実行スレッド、プロシージャ、関数、等を意味するように広く解釈されるべきである。
【０１００】
[00112]従って、１つ以上の例となる実施形態において、説明された機能は、ハードウェア、ソフトウェア、ファームウェア、またはこれらの任意の組み合わせで実装され得る。ソフトウェアで実装される場合、これらの機能は、コンピュータ可読媒体上に、１つ以上の命令またはコードとして記憶されるか、もしくは１つ以上の命令またはコードとして符号化され得る。コンピュータ可読媒体は、コンピュータ記憶媒体を含む。記憶媒体は、コンピュータによってアクセスされることができる任意の利用可能な媒体であり得る。限定ではなく例として、そのようなコンピュータ可読媒体は、ランダムアクセスメモリ（ＲＡＭ）、読み出し専用メモリ（ＲＯＭ）、電気的消去可能プログラマブルＲＯＭ（ＥＥＰＲＯＭ（登録商標））、光ディスク記憶装置、磁気ディスク記憶装置、他の磁気記憶デバイス、コンピュータ可読媒体の前述のタイプの組み合わせ、もしくはコンピュータによってアクセスされることができる命令の形式またはデータ構造でコンピュータ実施可能コードを記憶するために使用されることができる任意の他の媒体を備えることができる。
【０１０１】
[00113]図１は、ワイヤレス通信システムおよびアクセスネットワーク１００の例を例証する図である。（ワイヤレスワイドエリアネットワーク（ＷＷＡＮ）とも称される）ワイヤレス通信システムは、基地局１０２、ＵＥｓ１０４、および発展型パケットコア（ＥＰＣ）１６０を含む。基地局１０２は、マクロセル（高出力セルラ基地局）および／またはスモールセル（低出力セルラ基地局）を含む。マクロセルは、ｅＮＢを含む。スモールセルは、フェムトセル、ピコセル、およびマイクロセルを含む。
【０１０２】
[00114]基地局１０２（集合的に、発展型ユニバーサルモバイル電気通信システム（ＵＭＴＳ）地上無線アクセスネットワーク（Ｅ−ＵＴＲＡＮ）と称される）は、バックホールリンク１３２（例えば、Ｓ１インターフェイス）を通じてＥＰＣ１６０とインターフェイスする。他の機能に加えて、基地局１０２は、１つ以上の以下の機能：ユーザデータの転送、無線チャネル暗号化および暗号解読、統合保護（integrity protection）、ヘッダ圧縮、モビリティ制御機能（例えば、ハンドオーバー、デュアル接続性）、セル間干渉協調、接続セットアップおよびリリース、負荷バランス、非アクセス層（ＮＡＳ）メッセージの分配、ＮＡＳノード選択、同期、無線アクセスネットワーク（ＲＡＮ）シェアリング、マルチメディアブロードキャストマルチキャストサービス（ＭＢＭＳ）、加入者および機器トレース、ＲＡＮ情報管理（ＲＩＭ）、ページング、ポジショニング、および警告メッセージの配送、を実行し得る。基地局１０２は、バックホールリンク１３４（例えば、Ｘ２インターフェイス）を通して、直接的にまたは間接的に（例えば、ＥＰＣ１６０を通じて）お互いに通信し得る。バックホールリンク１３４は、有線またはワイヤレスであり得る。
【０１０３】
[00115]基地局１０２は、ＵＥｓ１０４とワイヤレスで通信し得る。基地局１０２の各々は、それぞれの地理的カバレッジエリア１１０に対して通信カバレッジを提供し得る。重複している地理的カバレッジエリア１１０が存在し得る。例えば、スモールセル１０２’は、１つ以上のマクロ基地局１０２のカバレッジエリア１１０とオーバーラップするカバレッジエリア１１０’を有し得る。スモールセルおよびマクロセルの両方を含むネットワークは、異種のネットワークとして知られ得る。異種のネットワークはまた、排他的加入者グループ（ＣＳＧ）として知られる限定されたグループにサービスを提供し得る、ホーム発展型ノードＢ（ｅＮＢ）（ＨｅＮＢ）を含み得る。基地局１０２およびＵＥ１０４間の通信リンク１２０は、ＵＥ１０４から基地局１０２へのアップリンク（ＵＬ）（リバースリンクとも称される）送信、および／または基地局１０２からＵＥｓ１０４へのダウンリンク（ＤＬ）（フォワードリンクとも称される）送信を含み得る。通信リンク１２０は、空間多重化、ビームフォーミング、および／または送信ダイバーシティを含むＭＩＭＯアンテナ技術を使用し得る。通信リンクは、１つ以上のキャリアを通じ得る。基地局１０２／ＵＥｓ１０４は、各方向への送信のために使用される合計Ｙｘ ＭＨｚ（ｘコンポーネントキャリア）までのキャリアアグリゲーションにおいて割り振りされた、キャリア当たりＹ ＭＨｚ（例えば、５、１０、１５、２０ＭＨｚ）帯域幅までのスペクトルを使用し得る。キャリアは、お互いに隣接されるか、または隣接されないかであろう。キャリアの割り振りは、ＤＬおよびＵＬに関して非対称であり得る（例えば、ＵＬに対するよりもＤＬに対して、より多くのキャリアまたは、より少ないキャリアが割り振りされ得る）。コンポーネントキャリアは、プライマリーコンポーネントキャリアおよび１つ以上のセカンダリーコンポーネントキャリアを含み得る。プライマリーコンポーネントキャリアは、プライマリーセル（ＰＣｅｌｌ）と称され得、セカンダリーコンポーネントキャリアは、セカンダリーセル（ＳＣｅｌｌ）と称され得る。
【０１０４】
[00116]ワイヤレス通信システムは、５ＧＨｚアンライセンス周波数スペクトルにおいて通信リンク１５４を介してＷｉ−Ｆｉ局（ＳＴＡ）１５２と通信しているＷｉ−Ｆｉアクセスポイント（ＡＰ）１５０をさらに含み得る。アンライセンス周波数スペクトルにおいて通信するとき、チャネルが利用可能であるかを決定するために、ＳＴＡ１５２／ＡＰ１５０は、通信の前にクリアチャネルアセスメント（ＣＣＡ）を実行し得る。
【０１０５】
[00117]スモールセル１０２’は、ライセンス周波数スペクトルおよび／またはアンライセンス周波数スペクトルにおいて動作し得る。アンライセンス周波数スペクトルにおいて動作するとき、スモールセル１０２’は、ＬＴＥを採用し、Ｗｉ−Ｆｉ ＡＰ１５０によって使用されるのと同一の５ＧＨｚアンライセンス周波数スペクトルを使用する。アンライセンス周波数スペクトルにおけるＬＴＥを採用するスモールセル１０２’は、アクセスネットワークへのカバレッジをブーストし得、および／またはアクセスネットワークの容量を増加し得る。アンライセンススペクトルにおけるＬＴＥは、ＬＴＥ−アンライセンス（ＬＴＥ−Ｕ）、ライセンス補助アクセス（ＬＡＡ）、またはマルチファイア（ＭｕＬＴＥｆｉｒｅ）と称され得る。
【０１０６】
[00118]ＥＰＣ１６０は、モビリティ管理エンティティ（ＭＭＥ）１６２、他のＭＭＥ１６４、サービングゲートウェイ１６６、マルチメディアブロードキャストマルチキャストサービス（ＭＢＭＳ）ゲートウェイ１６８、ブロードキャストマルチキャストサービスセンタ（ＢＭ−ＳＣ）１７０、およびパケットデータネットワーク（ＰＤＮ）ゲートウェイ１７２を含み得る。ＭＭＥ１６２は、ホーム加入者局サーバー（ＨＳＳ）１７４と通信中であり得る。ＭＭＥ１６２は、ＵＥｓ１０４とＥＰＣ１６０との間のシグナリングを処理する制御ノードである。一般的に、ＭＭＥ１６２は、ベアラおよび接続管理を提供する。全てのユーザインターネットプロトコル（ＩＰ）パケットは、自身がＰＤＮゲートウェイ１７２に接続されたサービングゲートウェイ１６６を通じて転送される。ＰＤＮゲートウェイ１７２は、ＵＥ ＩＰアドレス割り当てだけでなく、その他の機能も提供する。ＰＤＮゲートウェイ１７２およびＢＭ−ＳＣ１７０は、ＩＰサービス１７６に接続される。ＩＰサービス１７６は、インターネット、イントラネット、ＩＰマルチメディアサブシステム（ＩＭＳ）、ＰＳストリーミングサービス（ＰＳＳ）、および／または他のＩＰサービスを含み得る。ＢＭ−ＳＣ１７０は、ＭＢＭＳユーザサービスプロビジョニングおよび配信のための機能を提供し得る。ＢＭ−ＳＣ１７０は、コンテンツプロバイダＭＢＭＳ送信のためのエントリポイントとして役立ち、公共地上波モバイルネットワーク（ＰＬＭＮ）内のＭＢＭＳベアラサービスを認可および開始するために使用され得、およびＭＢＭＳ送信をスケジューリングおよび送信するために使用され得る。ＭＢＭＳゲートウェイ１６８は、特定のサービスをブロードキャストするマルチキャストブロードキャスト単一周波数ネットワーク（ＭＢＳＦＮ）エリアに属する基地局１０２にＭＢＭＳトラフィックを分配するために使用され得、セッション管理（開始／停止）およびｅＭＢＭＳに関係する課金情報を収集することに対して責任を負い得る。
【０１０７】
[00119]基地局はまた、ＮｏｄｅＢ、発展型ノードＢ（ｅＮＢ）、アクセスポイント、基地トランシーバ局、無線基地局、無線トランシーバ、トランシーバ機能、基本サービスセット（ＢＳＳ）、拡張サービスセット（ＥＳＳ）、または何らかの他の適した専門用語で称され得る。基地局１０２は、ＵＥ１０４に対してＥＰＣ１６０へのアクセスポイントを提供する。ＵＥｓ１０４の例は、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲーム機器、タブレット、スマートデバイス、ウェアラブルデバイス、または任意の他の同様の機能的なデバイスを含む。ＵＥ１０４はまた、当業者によって、局、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、あるいはその他適切な用語でも称され得る。
【０１０８】
［００１２０]再び図１を参照すると、ある態様において、ｅＮＢ１０２は、ベース層上で第１のＵＥのための第１のデータリソースエレメントを送信するように構成されることができる。第１のＵＥは、ＮＯＭＡ通信のために構成されないかもしれない。ｅＮＢ１０２は、エンハンスメント層上で第２のＵＥのためのデータを送信することができる。第２のＵＥは、ＮＯＭＡ通信のために構成されることができる。ベース層は、エンハンスメント層とオーバーレイされることができる。さらに、ｅＮＢ１０２は、基準信号を送信することができる（１９８）。
【０１０９】
［００１２１]図１を再び参照すると、ある態様において、ＵＥ１０４は、ベース層上で第１のデータリソースエレメントを受信するように構成されることができ、第１のデータリソースエレメントは、第２のＵＥのために構成される。第２のＵＥは、ＮＯＭＡ通信のために予め構成されないかもしれない。ＵＥ１０４は、エンハンスメント層上で第１のＵＥのためのデータを受信するように構成されることができる。ベース層は、エンハンスメント層とオーバーレイされることができる。ＵＥ１０４は、基準信号を受信し、第２のＵＥのための第１のデータリソースエレメントをキャンセルし、第１のＵＥのためのデータを復号するように構成されることができる（１９８）。
【０１１０】
[00122]図２Ａは、ＬＴＥにおけるＤＬフレーム構造の一例を例証する図２００である。図２Ｂは、ＬＴＥにおけるＤＬフレーム構造内のチャネルの一例を例証する図２３０である。図２Ｃは、ＬＴＥにおけるＵＬフレーム構造の一例を例証する図２５０である。図２Ｄは、ＬＴＥにおけるＵＬフレーム構造内のチャネルの一例を図示する図２８０である。他のワイヤレス通信技術は、異なるフレーム構造および／または異なるチャネルを有することができる。ＬＴＥにおいて、１フレーム（１０ｍｓ）は、１０個の等しいサイズのサブフレームに分割されることができる。各サブフレームは、２つの連続したタイムスロットを含むことができる。リソースグリッドは、２つのタイムスロットを表すために使用されることができ、各タイムスロットは１つまたは複数の時間的に同時のリソースブロック（ＲＢｓ）（物理ＲＢｓ（ＰＲＢＳ）とも呼ばれる）を含む。リソースグリッドは、複数のリソースエレメント（ＲＥｓ）に分割される。ＬＴＥにおいて、通常のサイクリックプリフィックスの場合、ＲＢは、周波数ドメイン中に１２個の連続したサブキャリアを、時間ドメイン中に７つの連続したシンボル（ＤＬの場合、ＯＦＤＭシンボル；ＵＬの場合、ＳＣ−ＦＤＭＡシンボル）を包含し、合計で８４個のＲＥｓとなる。拡張されたサイクリックプリフィックスの場合、ＲＢは、周波数ドメイン中に１２個の連続したサブキャリアを、時間ドメイン中に６つの連続したシンボルを包含し、合計で７２個のＲＥｓとなる。各ＲＥによって搬送されるビット数は、変調スキームに依存する。
【０１１１】
[00123]図２Ａに例証されるように、ＲＥｓのいくつかは、ＵＥにおけるチャネル推定のためにＤＬ基準（パイロット）信号（ＤＬ−ＲＳ）を搬送する。ＤＬ−ＲＳは、（時には共通ＲＳとも呼ばれる）セル−固有の基準信号（ＣＲＳ）、ＵＥ固有基準信号（ＵＥ−ＲＳ）、およびチャネル状態情報基準信号（ＣＳＩ−ＲＳ）を含むことができる。図２Ａは、（それぞれＲ０、Ｒ１、Ｒ２、およびＲ３として示される）アンテナポート０、１、２および３に対するＣＲＳ、（Ｒ５として示される）アンテナポート５に対するＵＥ−ＲＳ、および（Ｒとして示される）アンテナポート１５に対するＣＳＩ−ＲＳを例証する。図２Ｂは、１フレームのＤＬサブフレーム内の様々なチャネルの一例を例証する。物理制御フォーマットインジケータチャネル（ＰＣＦＩＣＨ）は、スロット０のシンボル０内にあり、物理ダウンリンク制御チャネル（ＰＤＣＣＨ）が１つ、２つ、または３つのシンボルを占有するか否か（図２Ｂは、３つのシンボルを占有するＰＤＣＣＨを例証する）を示す制御フォーマットインジケータ（ＣＦＩ）を搬送する。ＰＤＣＣＨは、１つまたは複数の制御チャネルエレメント（ＣＣＥｓ）内のダウンリンク制御情報（ＤＣＩ）を搬送し、各ＣＣＥは９個のＲＧグループ（ＲＥＧｓ）を含み、各ＲＥＧはＯＦＤＭシンボル内に４つの連続するＲＥｓを含む。ＵＥは、ＤＣＩも搬送するＵＥ固有の強化された(enhanced)ＰＤＣＣＨ（ｅＰＤＣＣＨ）で構成されることができる。ｅＰＤＣＣＨは、２つ、４つ、または８つのＲＢペアを有することができる（図２Ｂは、各サブセットが１つのＲＢペアを含む２つのＲＢペアを示す）。物理ハイブリッド自動再送要求（ＡＲＱ）（ＨＡＲＱ）インジケータチャネル（ＰＨＩＣＨ）はまた、スロット０のシンボル０内にあり、物理アップリンク共有チャネル（ＰＵＳＣＨ）に基づいて、ＨＡＲＱ肯定応答（ＡＣＫ）／否定ＡＣＫ（ＮＡＣＫ）フィードバックを示すＨＡＲＱインジケータ（ＨＩ）を搬送する。プライマリー同期チャネル（ＰＳＣＨ）は、１フレームのうちのサブフレーム０および５内のスロット０のシンボル６内にあり、サブフレームタイミングおよび物理層識別を決定するためにＵＥによって使用されるプライマリー同期信号（ＰＳＳ）を搬送する。セカンダリー同期チャネル（ＳＳＣＨ）は、１フレームのうちのサブフレーム０および５内のスロット０のシンボル５内にあり、物理層セル識別グループ数を決定するためにＵＥによって使用されるセカンダリー同期信号（ＳＳＳ）を搬送する。物理層識別および物理層セル識別グループ数に基づいて、ＵＥは、物理セル識別子（ＰＣＩ）を決定することができる。ＰＣＩに基づいて、ＵＥは、前述のＤＬ−ＲＳの位置を決定することができる。物理ブロードキャストチャネル（ＰＢＣＨ）は、１フレームのサブフレーム０のスロット１のシンボル０、１、２、３内にあり、マスター情報ブロック（ＭＩＢ）を搬送する。ＭＩＢは、ＤＬシステム帯域幅におけるＲＢｓの数、ＰＨＩＣＨ構成、およびシステムフレーム数（ＳＦＮ）を提供する。物理ウンリンク共有チャネル（ＰＤＳＣＨ）は、システム情報ブロック（ＳＩＢｓ）およびページングメッセージのようなＰＢＣＨを介して送信されないブロドキャストシステ���情報、ユーザデータを搬送する。
【０１１２】
[00124]図２Ｃにおいて例証されるように、ＲＥｓのいくつかは、ｅＮＢにおいてチャネル推定のための復調−基準信号（ＤＭ−ＲＳ）を搬送する。ＵＥは、サブフレームの最終シンボルにおけるサウンディング基準信号（ＳＲＳ）をさらに送信することができる。ＳＲＳは、コーム（comb）構造を有することができ、ＵＥは、コームのうちの１つ上でＳＲＳを送信し得る。ＳＲＳは、ＵＬ上での周波数依存スケジューリングを可能とするように、チャネル品質推定のためにｅＮＢによって使用されることができる。図２Ｄは、１フレームのＵＬサブフレーム内の様々なチャネルの例を例証する。物理ランダムアクセスチャネル（ＰＲＡＣＨ）は、ＰＲＡＣＨ構成に基づいた１フレーム内の１つ以上のサブフレーム内にあり得る。ＰＲＡＣＨは、１サブフレーム内に６つの連続したＲＢペアを含むことができる。ＰＲＡＣＨは、ＵＥが初期システムアクセスを実行しＵＬ同期を達成することを可能にする。物理アップリンク制御チャネル（ＰＵＣＣＨ）は、ＵＬシステム帯域幅のエッジに位置することができる。ＰＵＣＣＨは、スケジューリング要求、チャネル品質インジケータ（ＣＱＩ）、プリコーディングマトリックスインジケータ（ＰＭＩ）、ランクインジケータ（ＲＩ）、およびＨＡＲＱ ＡＣＫ／ＮＡＣＫフィードバックのようなアップリンク制御情報（ＵＣＩ）を搬送する。ＰＵＳＣＨは、データを搬送し、さらにバッファ状態報告（ＢＳＲ）、電力ヘッドルーム報告（ＰＨＲ）、および／またはＵＣＩを搬送するために使用されることができる。
【０１１３】
[00125]図３は、アクセスネットワークにおいてＵＥ３５０と通信しているｅＮＢ３１０のブロック図である。ＤＬにおいて、ＥＰＣ１６０からのＩＰパケットは、コントローラ／プロセッサ３７５に提供されることができる。コントローラ／プロセッサ３７５は、レイヤ３およびレイヤ２機能性をインプリメントする。レイヤ３は、無線リソース制御（ＲＲＣ）レイヤを含み、レイヤ２は、パケットデータ収束プロトコル（ＰＤＣＰ）レイヤ、無線リンク制御（ＲＬＣ）レイヤ、および媒体アクセス制御（ＭＡＣ）レイヤを含む。コントローラ／プロセッサ３７５は、システム情報（例えば、ＭＩＢ、ＳＩＢｓ）のブロードキャスティングに関連付けられたＲＲＣレイヤ機能性、ＲＲＣ接続制御（例えば、ＲＲＣ接続ページング、ＲＲＣ接続確立、ＲＲＣ接続修正、およびＲＲＣ接続リリース）、無線間アクセス技術（ＲＡＴ）モビリティ、およびＵＥ測定報告のための測定構成；ヘッダ圧縮／解凍に関連付けられたＰＤＣＰレイヤ機能性、安全（暗号化、解読、インテグリティ保護、インテグリティ検証）、およびハンドオーバーサポート機能；上位レイヤパケットデータユニット（ＰＤＵｓ）の転送に関連付けられたＲＬＣレイヤ機能性、ＡＲＱを介した誤り訂正、ＲＬＣサービスデータユニット（ＳＤＵｓ）の連結（concatenation）、セグメンテーションおよび再組み立て、ＲＬＣデータＰＤＵｓの再セグメンテーション、およびＲＬＣデータＰＤＵｓの再配列；および論理チャネルおよびトランスポートチャネル間のマッピングに関連付けられたＭＡＣレイヤ機能性、トランスポートブロック（ＴＢｓ）上へのＭＡＣ ＳＤＵｓの多重化、ＴＢｓからのＭＡＣ ＳＤＵｓの逆多重化、スケジューリング情報報告、ＨＡＲＱを介した誤り訂正、優先度処理、および論理チャネル優先順序付けを提供する。
【０１１４】
[00126]送信（ＴＸ）プロセッサ３１６および受信（ＲＸ）プロセッサ３７０は、様々な信号処理機能に関連付けられたレイヤ１機能性をインプリメントする。物理（ＰＨＹ）レイヤを含むレイヤ１は、トランスポートチャネル上での誤り検出、トランスポートチャネルの前方誤り訂正（ＦＥＣ）符号化／復号、インターリービング、レートマッチング、物理チャネル上へのマッピング、物理チャネルの変調／復調、およびＭＩＭＯアンテナ処理を含むことができる。ＴＸプロセッサ３１６は、様々な変調スキーム（例えば、２位相偏移変調（ＢＰＳＫ）、４位相偏移変調（ＱＰＳＫ）、Ｍ位相偏移変調（Ｍ−ＰＳＫ）、Ｍ−直角位相振幅変調（Ｍ−ＱＡＭ））に基く信号コンステレーションへのマッピングを取り扱う。符号化され変調されたシンボルは、次に並列ストリームに分割される。各ストリームは、次にＯＦＤＭサブキャリアにマッピングされ、時間領域および／または周波数領域において基準信号（例えば、パイロット）で多重化され、その後逆高速フーリエ変換（ＩＦＦＴ）を用いて一緒に結合され、時間領域のＯＦＤＭシンボルストリームを搬送する物理チャネルが生成される。ＯＦＤＭストリームは複数の空間ストリームを生成するために空間的にプリコーディングされる。チャネル推定器３７４からのチャネル推定値は符号化および変調スキームを決定するために、並びに空間処理のために使用されることができる。チャネル推定値はＵＥ３５０によって送信された基準信号および／またはチャネル状況フィードバックから導出されることができる。各空間ストリームは次に別個の送信機３１８ＴＸを介して異なるアンテナ３２０に提供されることができる。各送信機３１８ＴＸは送信に関するそれぞれの空間ストリームでＲＦキャリアを変調することができる。
【０１１５】
[00127]ＵＥ３５０において、各受信機３５４ＲＸはそのそれぞれのアンテナ３５２を介して信号を受信する。各受信機３５４ＲＸはＲＦキャリア上に変調された情報をリカバーし、受信（ＲＸ）プロセッサ３５６にその情報を供給する。ＴＸプロセッサ３６８およびＲＸプロセッサ３５６は様々な信号処理機能に関連付けられたレイヤ１機能性をインプリメントする。ＲＸプロセッサ３５６はＵＥ３５０を宛先とする任意の空間ストリームをリカバーするために情報に空間処理を実行することができる。複数の空間ストリームがＵＥ３５０に向けられている場合、それらはＲＸプロセッサ３５６によって単一のＯＦＤＭシンボルストリームに結合されることができる。ＲＸプロセッサ３５６は次に高速フーリエ変換（ＦＦＴ）を用いてＯＦＤＭシンボルストリームを時間領域から周波数領域に変換する。周波数領域信号はＯＦＤＭ信号の各サブキャリアに対する別個のＯＦＤＭシンボルストリームを備える。各サブキャリア上のシンボルおよび基準信号はｅＮＢ３１０によって送信された最も可能性の高い信号コンステレーションポイントを決定することによってリカバーされおよび復調される。これらの軟判定はチャネル推定器３５８によって計算されたチャネル推定値に基づくことができる。軟判定は次に物理チャネル上でｅＮＢ３１０により当初送信されたデータおよび制御信号をリカバーするために復号およびデインターリーブされる。データおよび制御信号は次にコントローラ／プロセッサ３５９に供給され、それはレイヤ３およびレイヤ２機能性をインプリメントする。
【０１１６】
[00128]コントローラ／プロセッサ３５９はプログラムコードおよびデータを記憶するメモリ３６０に関連付けられることができる。メモリ３６０はコンピュータ可読媒体と称されることができる。ＵＬにおいて、コントローラ／プロセッサ３５９は、ＥＰＣ１６０からのＩＰパケットをリカバーするためにトランスポートチャネルと論理チャネルとの間の逆多重化、パケットの再組み立て、暗号解読、ヘッダ解凍、および制御信号処理を提供する。コントローラ／プロセッサ３５９はまたＨＡＲＱ動作をサポートするためにＡＣＫおよび／またはＮＡＣＫプロトコルを使用した誤り検出の役割を担う。
【０１１７】
[00129]ｅＮＢ３１０によるＤＬ送信に関連して説明された機能性と同様に、コントローラ／プロセッサ３５９は、システム情報（例えば、ＭＩＢ、ＳＩＢｓ）獲得に関連付けられたＲＲＣレイヤ機能性、ＲＲＣ接続、および測定報告；ヘッダ圧縮／解凍に関連付けられたＰＤＣＰレイヤ機能性、およびセキュリティ（暗号化、暗号解読、インテグリティ保護、インテグリティ検証）；上位レイヤＰＤＵｓの転送に関連付けられたＲＬＣレイヤ機能性、ＡＲＱを介した誤り訂正、ＲＬＣ  ＳＤＵｓの連結、セグメンテーション、および再組み立て、ＲＬＣデータＰＤＵｓの再セグメンテーション、およびＲＬＣデータＰＤＵｓの再配列；および論理チャネルおよびトランスポートチャネル間のマッピングに関連付けられたＭＡＣレイヤ機能性、ＴＢ上へのＭＡＣ ＳＤＵｓの多重化、ＴＢｓからのＭＡＣ ＳＤＵｓの逆多重化、スケジューリング情報報告、ＨＡＲＱを介した誤り訂正、優先度処理、および論理チャネル優先順序付けを提供する。
【０１１８】
[00130]ｅＮＢ３１０によって送信された基準信号またはフィードバックからチャネル推定器３５８によって導出されたチャネル推定値は、適切な符号化および変調スキームを選択し空間処理を容易にするためにＴＸプロセッサ３６８によって使用されることができる。ＴＸプロセッサ３６８によって生成された空間ストリームは別個の送信機３５４ＴＸを介して異なるアンテナ３５２に提供されることができる。各送信機３５４ＴＸは送信に関するそれぞれの空間ストリームでＲＦキャリアを変調することができる。
【０１１９】
[00131]ＵＬ送信はＵＥ３５０における受信機機能に関連して説明されたのと同様方法でｅＮＢ３１０において処理される。各受信機３１８ＲＸはそれぞれのアンテナ３２０を介して信号を受信する。各受信機３１８ＲＸはＲＦキャリア上に変調された情報をリカバーしＲＸプロセッサ３７０にその情報を供給する。
【０１２０】
[00132]コントローラ／プロセッサ３７５は、プログラムコードおよびデータを記憶するメモリ３７６に関連付けられることができる。メモリ３７６は、コンピュータ可読媒体と称されることができる。ＵＬにおいてコントローラ／プロセッサ３７５はＵＥ３５０からのＩＰパケットを復元するためにトランスポートチャネルと論理チャネルとの間の逆多重化、パケットの再組み立て、暗号解読、ヘッダ解凍、制御信号処理を提供する。コントローラ／プロセッサ３７５からのＩＰパケットは、ＥＰＣ１６０に提供されることができる。コントローラ／プロセッサ３７５はまた、ＨＡＲＱ動作をサポートするためにＡＣＫおよび／またはＮＡＣＫプロトコルを用いた誤り検出の役割を担う。
【０１２１】
[00133]図４は本明細書において説明されるシステムおよび方法に従う、非直交多元接続（ＮＯＭＡ）通信システム４００の図である。ＮＯＭＡ通信システム４００は、複数のワイヤレスデバイス４０４、４０６を含む。ワイヤレスデバイス４０４、４０６はｅＮＢ４０２のような基地局と通信している。ワイヤレスデバイス４０４、４０６は各々ユーザ機器（ＵＥ）であり得る。更に具体的にはワイヤレスデバイス４０４、４０６のうちの１つはベース層ＵＥと称されることができ一方、他のワイヤレスデバイス４０４、４０６はエンハンスメント層ＵＥと称されることができる。さらなる議論に関して、ワイヤレスデバイス４０４はベース層デバイスでありワイヤレスデバイス４０６は、エンハンスメント層ＵＥであると仮定する。
【０１２２】
[00134]ＮＯＭＡは、第３世代パートナーシッププロジェクト（３ＧＰＰ）リリース１３に対するシステム改良である。ＮＯＭＡは電力領域において複数のユーザを重畳する。例えば、２つのユーザに関する信号は同一周波数を占有し得る。しかしながら、２つのユーザからの信号は異なる電力レベルであってよい。２つのユーザ例において、１つのユーザのＵＥはベース層ＵＥ（例えば、ワイヤレスデバイス４０４）と称されることができ、別のユーザのＵＥは、エンハンスメント層ＵＥ（例えば、ワイヤレスデバイス４０６）と称されることができる。
【０１２３】
[00135]例となるＮＯＭＡ通信システムはエンハンスメント層信号を干渉として取り扱い、ベース層ＵＥ、すなわちワイヤレスデバイス４０４を直接復号することができる。エンハンスメント層ＵＥ、すなわちワイヤレスデバイス４０６は、エンハンスメント層信号を復号する前にベース層信号のあるタイプの干渉除去を実行することができる。
【０１２４】
[00136]いくつかの例において本明細書において説明されるようにベース層ＵＥは「レガシー」デバイスであり得る。レガシーＵＥは、ＮＯＭＡ通信のために構成されていないまたは予め構成されていないＵＥであり得る。言い換えれば、「レガシー」ＵＥは、ＮＯＭＡ関連シグナリングおよびＮＯＭＡ受信を取り扱うために特別に設計されてはいない。レガシーＵＥがＮＯＭＡ通信のために予め構成されていないという事実にも拘らずレガシーＵＥはＮＯＭＡ通信システムにおいて機能することができる。なぜならば、基地局、例えばｅＮＢ４０２は、レガシーＵＥおよびエンハンスメント層ＵＥの両方と互換性があり、また本明細書において説明されるシステムおよび方法を使用するＮＯＭＡ通信と互換性がある方法でレガシーＵＥとの通信を構成するからである。
【０１２５】
[00137]いくつかの例において、レガシーＵＥはＮＯＭＡの導入前にまたはＮＯＭＡの使用前に設計されたＵＥであり得る。しかしながら、レガシーＵＥはまたＮＯＭＡ機能性を単に含まないＮＯＭＡの導入後に設計されたＵＥであってもよい。ワイヤレスデバイス４０４がベース層デバイスである場合、ワイヤレスデバイス４０４もまた「レガシー」デバイスであってもよい。従って、ワイヤレスデバイス４０４は、ＮＯＭＡ通信のために予め構成されていないＵＥであり得る。本明細書において説明されるシステムおよび方法は、そのようなデバイスがＮＯＭＡ通信のために設計されていないとしても、レガシーＵＥがＮＯＭＡ内で機能することを可能にするのでワイヤレスデバイス４０４は（知らずに）ＮＯＭＡ通信内で通信することができる。
【０１２６】
[00138]いくつかのシステムにおいて両方のＵＥ、すなわち、ベース層ＵＥおよびエンハンスメント層ＵＥはＮＯＭＡを使用した送信を処理するように構成されたＵＥであり得る。本明細書において説明される様々なシステムおよび方法は、ベース層ＵＥがレガシーデバイスであることを可能にする。レガシーデバイスは、一般的にＮＯＭＡのために予め構成されていない任意のデバイスであろう。しかしながら、本明細書において説明されるシステムおよび方法が、ベース層ＵＥがＮＯＭＡのために予め構成されていないデバイスであることを可能にするように構成される一方で、これらのシステムおよび方法は一般に両方のＵＥ、すなわち、ベース層ＵＥおよびエンハンスメント層ＵＥがＮＯＭＡを使用する送信を処理するように構成されるときＮＯＭＡ通信のための能力を維持することが理解されるであろう。
【０１２７】
[00139]ベース層デバイスがＮＯＭＡ通信の一部であるＮＯＭＡ動作のために構成されていないことを許容するシステムおよび方法は、ＮＯＭＡが使用される、より高いチャンスを提供し得る。ベース層ＵＥがＮＯＭＡのために予め構成されていないデバイスであることを許容するシステムおよび方法は、ペアリングに関して、限定は、より少ないであろう。というのは、ベース層ＵＥがＮＯＭＡのために予め構成されていないデバイスであることを許容するシステムおよび方法は、両方のＵＥがＮＯＭＡ動作のために予め構成されている必要はないからである。従って、多種多様のデバイスがＮＯＭＡ通信システムにおいて関与し得る。一般的に、本明細書において説明されるシステムおよび方法は、レガシーＵＥがＮＯＭＡ動作のために構成されているＵＥとペアリングされることを許容するが、これらのシステムおよび方法はまた、両方のＵＥがＮＯＭＡのために予め構成されているＵＥであることを許容し得ることが理解されるであろう。
【０１２８】
[00140]本明細書において説明されるいくつかの例となるシステムおよび方法は基準信号設計、例えば、セル−固有の基準信号（ＣＲＳ）および復調−基準信号（ＤＭ−ＲＳ）に関係され得る。本明細書において説明されるいくつかの例となるシステムおよび方法は、シグナリング設計に関係され得る。しかしながら、一般にレガシーＵＥに関してシグナリングの変更は出来ない。ＮＯＭＡのために予め構成されていないＵＥにおけるシグナリングは一般に固定され得る。
【０１２９】
[00141]いくつかの例において、ＮＯＭＡ通信システム４００はセル−固有の基準信号を使用することができる。セル−固有の基準信号が使用されるとき、トラフィック電力比は、ＮＯＭＡのために予めに構成されていないワイヤレスデバイス４０４、例えば、レガシーＵＥに対する時間より先にシグナリングされることができる。しかしながら、いくつかの例においてトラフィック電力比のシグナリングはＱＰＳＫに適用されなくてもよい。ＱＰＳＫが使用されるとき、一般にはトラフィック電力比の制限はない。
【０１３０】
[00142]ＮＯＭＡ動作の場合、レガシーＵＥであり得るベース層ＵＥのデータリソースエレメントはエンハンスメント層ＵＥに関するデータの別の層でオーバーレイされることができる。従って、ＮＯＭＡ動作の場合、ＮＯＭＡに関して予め構成されないベース層ＵＥのデータリソースエレメントは、エンハンスメント層ＵＥに関するデータの別の層でオーバーレイされることができる。オーバーレイは、セル−固有の基準信号を「クリーン(clean)」に保持する間に生じることができる。言い換えれば、セル−固有の基準信号の周波数上でオーバーレイされる信号はない。一般に、ＮＯＭＡに関して予め構成されないＵＥ、例えば、レガシーＵＥのデータリソースエレメントのトラフィック電力比は送信されたセル−固有の基準信号に従うであろう。
【０１３１】
[00143]１例示システムにおいて、基地局は一般に、セル−固有の基準信号に関してさらなる信号を送信はしないであろう。（セル−固有の基準信号は、「クリーン」である。）セル−固有の基準信号に関してさらなる信号を送信することは、チャネル推定およびチャネル品質インジケータ（ＣＱＩ）生成に関して全てのＵＥに影響し得る。
【０１３２】
[00144]１つの問題はＮＯＭＡに関して予め構成されていないＵＥがセル−固有の基準信号リソースエレメントに関してよりノイズの少ないチャネルを有し、他のデータリソースエレメントに関してはよりノイズの多いチャネルを有することである。言い換えれば、ＮＯＭＡに関して予め構成されていないＵＥにおいて、セル−固有の基準信号リソースエレメントに関するチャネルは、他のデータリソースエレメントに関するチャネルよりもより高い信号品質で受信することができる。しかしながら、ＮＯＭＡに関して予め構成されていないＵＥはデータリソースエレメント品質劣化に気が付いていない。
【０１３３】
[00145]性能損失を制限するために、いくつかの例では、基地局はレガシーＵＥを制限することができる。レガシーＵＥ、例えばＮＯＭＡに関して予め構成されていないＵＥは、このシナリオに関するＱＰＳＫで変調および符号化スキーム（ＭＣＳ）を使用することが制限されるかもしれない。ＱＰＳＫを使用することは、劣化されたチャネル上の情報の欠如からの性能損失を制限することができる。
【０１３４】
[00146]いくつかの例において、エンハンスメント層ＵＥ、例えば、ワイヤレスデバイス４０６は、復調のために同一のセル−固有の基準信号を使用し得るが、エンハンスメント層ＵＥ向けの復調信号のための別個のトラフィック電力比を使用し得る。エンハンスメント層ＵＥがベース層トラフィック電力比を「知っている（aware）」ことが理解されるであろう。エンハンスメント層ＵＥは、ベース層信号が適切にキャンセルされ得るように、ベース層トラフィック電力比に関係するシグナリングを受信し得る。
【０１３５】
[00147]いくつかの例において、ＮＯＭＡ通信システム４００は、復調−基準信号に基づき得る。本明細書において説明されるように、復調−基準信号に基づく通信システムは、２つのオプションを含み得る。第１のオプションは、一般的に、上記で議論されたセル−固有の基準信号ベースの設計と同様である。
【０１３６】
[00148]復調−基準信号が使用されるとき、ＮＯＭＡのために予め構成されていないＵＥ、例えば、レガシーＵＥについて、トラフィック電力比は、０ｄＢであり得る。一般的に、このことは、不変であり得る。ＮＯＭＡ動作の下、ＮＯＭＡのために予め構成されていないＵＥ、例えば、レガシーベース層ＵＥのデータリソースエレメントは、エンハンスメント層ＵＥのデータリソースエレメントとオーバーレイされ得る。
【０１３７】
[00149]いくつかの例において、共通の復調−基準信号が、２つのＵＥｓ間で共有され得る。共有復調−基準信号に対する（over）ベース層ＵＥのトラフィック電力比は、０ｄＢであり得る。
【０１３８】
[00150]いくつかの例において、エンハンスメント層ＵＥのトラフィック電力比は、エンハンスメント層ＵＥにシグナリングされ得る。エンハンスメント層ＵＥのトラフィック電力比のシグナリングは、例えば、パケットデータ制御チャネル（ＰＤＣＣＨ）または無線リソース制御（ＲＲＣ）を使用するシグナリングで、黙示的に（例えば、ＣＥＭＡで）または明示的に、のいずれかであり得る。
【０１３９】
[00151]いくつかの例において、ＮＯＭＡのために予め構成されていないＵＥ、例えば、レガシーベース層ＵＥは、劣化された（degraded）データチャネルを受信し得る。しかしながら、ＮＯＭＡのために予め構成されていないＵＥは、劣化されたデータチャネルを知らない。いくつかの例において、基地局は、ＱＰＳＫを用いるＭＣＳを使用するように、ＮＯＭＡのために予め構成されていないＵＥを限定し得る。ＱＰＳＫを使用することは、パフォーマンスロスを制限し得る。
【０１４０】
[00152]いくつかの例において、エンハンスメント層ＵＥは、０ｄＢであるベース層ＵＥについてのトラフィック電力比で予め構成され得る。従って、ベース層ＵＥについてのトラフィック電力比を送信するためにシグナリングは必要ない。エンハンスメント層ＵＥは、情報、すなわち、ベース層ＵＥのためのトラフィック電力比（例えば、０ｄＢ）を既に保有するので、そのような送信無しで適切な干渉除去を実行し得る。エンハンスメント層ＵＥは、それ自身の信号をセルフトラフィック電力比で復調し得る。セルフトラフィック電力比は、変調オーダー分割（modulation order split）によって暗示されるかまたは決定され得る。
【０１４１】
[00153]復調−基準信号に基づく第２のオプションは、上記で議論した復調−基準信号に基づく第１のオプションの問題に対処し得る。上記で議論した復調−基準信号に基づく第１のオプションの１つの潜在的問題は、ＮＯＭＡのために予め構成されていないＵＥｓ、例えば、レガシーベース層ＵＥｓについて、データリソースエレメント品質が、セル間干渉に起因して復調−基準信号品質よりも悪いことである。従って、第２のオプションは、レガシーベース層ＵＥ復調−基準信号、すなわち、ＮＯＭＡのために予め構成されていないＵＥによる使用に向けられた復調−基準信号とオーバーラップするエンハンスメント層復調−基準信号を導入する。
【０１４２】
[00154]いくつかの例において、エンハンスメント層復調−基準信号は、エンハンスメント層データと同一の電力レベルを有し得る。一般的に、エンハンスメント層復調−基準信号は、レガシー復調−基準信号よりも、より低い電力レベルであり得る。追加的に、エンハンスメント層復調−基準信号は、ベース層ＵＥがエンハンスメント層復調−基準信号をノイズと解釈し、エンハンスメント層復調−基準信号をベース層復調−基準信号、例えば、レガシー復調−基準信号と混同してしまわないように、異なる擬似ランダムシーケンスを使用する。（いくつかのケースにおいて、例えば、２つのＮＯＭＡ構成ＵＥｓが一緒にペアとされたとき、ベース層復調−基準信号は、１つのＮＯＭＡ構成ＵＥに送信されるであろうことが理解されるであろう）。
【０１４３】
[00155]エンハンスメント層復調−基準信号は、別個に順番に並べられ、ベース層ＵＥに対するノイズのように振る舞う。ベース層復調−基準信号に対するベース層ＵＥのトラフィック電力比は、０ｄＢであり得る。エンハンスメント層復調−基準信号に対するエンハンスメント層ＵＥのトラフィック電力比は、０ｄＢであり得る。
【０１４４】
[00156]いくつかの例において、ベース層復調−基準信号およびエンハンスメント層復調−基準信号間の電力比は、エンハンスメント層ＵＥにシグナリングされ得る。シグナリングは、ＰＤＣＣＨまたはＲＲＣを使用するシグナリングで、黙示的（例えば、ＣＥＭＡで）または明示的のいずれかであり得る。
【０１４５】
[00157]ベース層ＵＥは、劣化されたデータリソースエレメントおよび劣化された復調−基準信号マッチングを認識し（see）得る。ベース層復調−基準信号からのチャネル推定および／または干渉推定は、データリソースエレメントにおいて認識されるチャネルとマッチングし得る。
【０１４６】
[00158]いくつかの例において、エンハンスメント層ＵＥは、ベース層復調−基準信号およびエンハンスメント層復調−基準信号の両方を知っている（is aware of）。エンハンスメント層ＵＥは、チャネル推定を実行するために、（例えば、典型的に、より低エネルギーレベルであるエンハンスメント層復調−基準信号のみを使用することに代えて）２つの復調−基準信号を一緒に組み合わせ（combined）し得る。両方のデータ層ＵＥについてトラフィック電力比が知られ得るので、エンハンスメント層ＵＥは、ベース層信号について干渉除去をよりよく実行でき得、エンハンスメント層ＵＥは、エンハンスメント層ＵＥに送信された信号を復調することができ得る。
【０１４７】
[00159]全ての上記の設計の中で、ＮＯＭＡのために予め構成されていないＵＥｓ、例えば、レガシーＵＥｓが、ＮＯＭＡ通信ネットワークにおいて働くことを可能にするために、ベース層についてのトラフィック電力比は、ベース層ＵＥのために選択されたトラフィック電力比に従い得る。ベース層のための複数の空間層が存在する場合、レガシー設計は、トラフィック電力比からの総割り当てから、電力を複数の空間層にわたって一様に分割し得る。別のトラフィック電力比は、エンハンスメント層ＵＥのために使用され得る。エンハンスメント層ＵＥのためのトラフィック電力比は、エンハンスメント層ＵＥのための基準信号電力比へのデータを定義する。いくつかの例において、エンハンスメント層ＵＥのためのトラフィック電力比は、無線リソース制御（ＲＲＣ）によるシグナリングであるか、またはダウンリンク制御情報（ＤＣＩ）中にあり得る。
【０１４８】
[00160]共有空間層のための一様な組み合わされたコンステレーションが使用されるとき、空間層において、エンハンスメント層電力は、ベース層電力および変調オーダー分割（modulation order split）によって決定され得る。エンハンスメント層ＵＥのためにエンハンスメント層のみの空間層が存在する場合、それらのエンハンスメント層のみの空間層のための合計電力は、共有空間層におけるエンハンスメント層トラフィック電力比およびエンハンスメント層電力から計算され得る。以下に図５に関連して議論されるように、いくつかの例において、複数のエンハンスメント層にわたって、電力は、一様に分割され得る。
【０１４９】
[00161]共有空間層のための一様な組み合わされたコンステレーションが使用されないとき、エンハンスメント層トラフィック電力比が合計エンハンスメント層電力を決定する。以下に図６に関連して議論されるように、エンハンスメント層を送信するために使用される全ての空間層にわたって、エンハンスメント層電力は、一様に分割され得る。
【０１５０】
[00162]図５は、複数の空間層にわたるベース層およびエンハンスメント層のための電力を説明する図である。図５は、２つの空間層（１、２）を使用するベース層、および４つの空間層（１、２、３、４）を使用するエンハンスメント層を有する例を説明。例におけるベース層トラフィック電力比は、ベース層について２ｍＷの合計電力を示す。図５において説明されるように、１ｍＷが、空間層１および空間層２にわたって一様に分割するレガシー設計に従う各層について使用される。共有空間層（１、２）について、エンハンスメント層ＵＥは、ＱＰＳＫがベース層によって使用され、ＱＰＳＫがエンハンスメント層のために使用されていることを知るようにプログラムされ得る。このことから、１つの層内の電力分割は、４：１であると推論され得る。従って、これらの２つの層におけるエンハンスメント層電力は、０．２５ｍＷ、すなわち、１ｍＷの１／４であろう。エンハンスメント層ＵＥはまた、エンハンスメント層ＵＥのトラフィック電力比を１．５ｍＷの合計電力に変える（translate）シグナリングを受信し得る。従って、空間層３、４に１ｍＷ（１．５ｍＷ−（０．２５ｍＷ×２）＝１ｍＷ）の合計電力が存在する。１ｍＷが層３および層４間に、空間層３および４の各々において０．５ｍＷ（１ｍＷ／２＝０．５ｍＷ）の電力で分割される。
【０１５１】
[00163]図６は、複数の空間層にわたるベース層およびエンハンスメント層についての電力を説明する別の図である。図６の説明された例において、ベース層は、２つの空間層（１、２）を使用し、エンハンスメント層は、４つの空間層（１、２、３、４）を使用する。ベース層トラフィック電力比は、ベース層について合計２ｍＷを示す。従って、１ｍＷが、空間層にわたって一様に分割するレガシー設計に従う２つの層の各々について使用される。エンハンスメント層ＵＥは、エンハンスメント層ＵＥのトラフィック電力比を１．５ｍＷの合計電力に変えるシグナリングを受信し得る。図６において説明されるように、エンハンスメント層ＵＥは、変調オーダー分割限定なしに、４つの層にわたって均一に分割されるようにプログラムされる。従って、１．５ｍＷの電力は、４つの層にわたって均一に分割され、各層に関して０．３７５ｍＷの電力の結果となるであろう。
【０１５２】
[00164]図７は、本明細書において説明されるシステムおよび方法に従う、基地局におけるＮＯＭＡ通信の方法のフローチャート７００である。方法は、ｅＮＢ（例えば、図１のｅＮＢ１０２、図３のｅＮＢ３１０、または図４のｅＮＢ４０２）によって実行され得る。ブロック７０２において、基地局、例えば、ｅＮＢ１０２、３１０、４０２は、ベース層上で第１のＵＥのための第１のデータリソースエレメントを送信する。（この例において、「第１のＵＥ」は、ＮＯＭＡ通信のために予め構成されていないＵＥであり得るベース層ＵＥであり得る。図１１に関連して議論された例において、「第１のＵＥ」は、ＮＯＭＡ通信のために構成されているＵＥであり得る。）第１のＵＥは、図１のＵＥ１０４、図３のＵＥ３５０、または図４のワイヤレスデバイス４０４、４０６のうちの１つであり得る（図４の例において、ワイヤレスデバイス４０４は、第１のＵＥであり得る）。第１のＵＥは、ＮＯＭＡ通信のために構成されていない。言い換えれば、第１のＵＥは、ＮＯＭＡ通信のために予め構成されていない。第１のＵＥは、ＮＯＭＡ関連シグナリングおよびＮＯＭＡ受信を取り扱うために特別に設計されてはいない。追加的に、いくつかの例において、第１のＵＥ復調−基準信号と比較して（relative to）第１のＵＥトラフィック電力比は、０ｄＢであり得る。
【０１５３】
[00165]トラフィック電力比は、信号、例えば、スケジューリング信号または合計送信エネルギーの部分（fraction）を構成する他の信号に割り振りされる合計送信エネルギーの部分（fraction）である。復調−基準信号は、パイロット信号である。いくつかの例において、第１のＵＥのためのトラフィック電力比は、復調−基準信号に対して０ｄＢであり（これはまた、ｄＢで測定され得）、第２のＵＥトラフィック電力比は、エンハンスメント層復調−基準信号に対して０ｄＢである。
【０１５４】
[00166]ブロック７０４において、基地局、例えば、ｅＮＢ１０２、３１０、４０２は、エンハンスメント層上で第２のＵＥのためのデータを送信する。第２のＵＥは、図１のＵＥ１０４、図３のＵＥ３５０、または図４のワイヤレスデバイス４０４、４０６のうちの１つであり得る。（図４の例において、ワイヤレスデバイス４０６は、第２のＵＥと仮定される。）第２のＵＥは、ＮＯＭＡ通信のために構成されている。ベース層は、エンハンスメント層とオーバーレイされる。例えば、オーバーレイモードにおいて、例えば、ＬＴＥネットワークに対する全周波数帯域は、ベース層およびエンハンスメント層について、２つの部分に分割され得る。追加的に、いくつかの例において、第２のＵＥのためのデータは、第２のＵＥのための第２のデータリソースエレメントであり得る。
【０１５５】
[00167]ブロック７０６において、基地局、例えば、ｅＮＢ１０２、３１０、４０２は、基準信号を送信する。１つの例において、基準信号は、セル−固有の基準信号であり得る。別の例において、基準信号は、復調−基準信号であり得る。
【０１５６】
[00168]復調−基準信号を使用するいくつかの例において、復調−基準信号は、第１のＵＥのための復調−基準信号を含み得る。復調−基準信号を使用する他の例において、復調−基準信号は、２つの復調−基準信号を実際含み得る。例えば、復調−基準信号は、第２のＵＥのためのエンハンスメント層復調−基準信号、およびベースバンド復調−基準信号、例えば、第１のＵＥのための復調−基準信号を含み得る。いくつかの例において、第２のＵＥ、エンハンスメント層ＵＥは、エンハンスメント層復調−基準信号および第１のＵＥのための復調−基準信号の両方を使用し得る。第２のＵＥエンハンスメント層復調−基準信号および第１のＵＥ復調−基準信号は、オーバーラップし得る。
【０１５７】
[00169]オプションで、ブロック７０８において、基地局、例えば、ｅＮＢ１０２、３１０、４０２は、第１のＵＥがＮＯＭＡ通信におけるベース層ＵＥであるときに第１のＵＥが従うべき第１のＵＥのトラフィック電力比を送信する。例えば、第１のＵＥがＮＯＭＡ通信におけるベース層ＵＥであるとき、第１のＵＥトラフィック電力比は、第１のＵＥによって使用され得る。
【０１５８】
[00170]オプションで、ブロック７１０において、基地局、例えば、ｅＮＢ１０２、３１０、４０２は、第１のＵＥを、４相位相変調（ＱＰＳＫ）を使用する変調および符号化スキームに限定するための信号を送信する。本明細書において説明されるように、ＱＰＳＫを使用することは、第１のＵＥにおける誤りを制限し得る。
【０１５９】
[00171]オプションで、ブロック７１２において、基地局、例えば、ｅＮＢ１０２、３１０、４０２は、１つの空間層が第１のＵＥおよび第２のＵＥによって共有されているとき、変調オーダーペア（modulation order pair）を使用して、ベース層電力からエンハンスメント層電力を決定する。決定は、組み合わされたコンステレーション（combined constellation）、例えば、エンハンスメント層および空間層が一様である、例えば、エンハンスメント層の電力および空間層の電力が等しいと、限定されるとき、なされ得る。第１のＵＥは、ベース層ＵＥであり得、第２のＵＥは、エンハンスメント層ＵＥであり得る。
【０１６０】
[00172]図８は、本明細書において説明されるシステムおよび方法に従う、基地局におけるＮＯＭＡ通信の方法のフローチャート８００である。図８は、エンハンスメント層の空間層電力を計算する方法を説明する。
【０１６１】
[00173]ブロック８０２において、基地局、例えば、ｅＮＢ１０２、３１０、４０２は、ベース層空間層の数を決定する。図５および６の例において、ベース層は、２つの空間層を有する。
【０１６２】
[00174]ブロック８０４において、基地局、例えば、ｅＮＢ１０２、３１０、４０２は、エンハンスメント層空間層の数を決定する。図５および６の例において、エンハンスメント層は、４つの空間層を有する。
【０１６３】
[00175]ブロック８０６において、基地局、例えば、ｅＮＢ１０２、３１０、４０２は、ベース層についてのトラフィック電力比に基づいて、合計ベース層電力を決定する。図５および６の例において、合計ベース層電力は、２ｍＷである。
【０１６４】
[00176]ブロック８０８において、基地局、例えば、ｅＮＢ１０２、３１０、４０２は、各共有空間層上のエンハンスメント層電力を、その空間層の所与の変調オーダーペアを用いて計算する。空間層の所与の変調オーダーペアを用いて、各共有空間層上のエンハンスメント層電力を計算することは、各共有空間層上のエンハンスメント層送信電力に基づき得る。
【０１６５】
[00177]ブロック８１０において、基地局、例えば、ｅＮＢ１０２、３１０、４０２は、共有空間層における合計エンハンスメント層電力を計算する。例えば、各共有空間層上のエンハンスメント層送信電力に基づく計算されたエンハンスメント層電力は、共有空間層における合計エンハンスメント層電力を計算するために使用され得る。例えば、各共有空間層上のエンハンスメント層送信電力が、一緒に加えられ得る。
【０１６６】
[00178]ブロック８１２において、基地局、例えば、ｅＮＢ１０２、３１０、４０２は、全ての層にわたる合計エンハンスメント層電力を、第２のＵＥトラフィック電力比から計算する。ある例において、共有空間層における合計エンハンスメント層電力と、第２のＵＥトラフィック電力比からの全ての層にわたる合計エンハンスメント層電力との差は、エンハンスメント層のみの空間層に利用可能な合計エンハンスメント層電力である。言い換えれば、全ての層にわたる合計エンハンスメント層電力は、エンハンスメント層のみの空間層に利用可能な合計エンハンスメント層電力、プラス、共有空間層における合計エンハンスメント層電力、に等しくあり得る。全ての層にわたる合計エンハンスメント層電力は、全ての層にわたる合計エンハンスメント層電力が、エンハンスメント層のみの空間層に利用可能な合計エンハンスメント層電力と、共有空間層における合計エンハンスメント層電力との間で共有されているときのみ、エンハンスメント層のみの空間層に利用可能な合計エンハンスメント層電力、プラス、共有空間層における合計エンハンスメント層電力、に等しくあり得る。
【０１６７】
[00179]ブロック８１４において、基地局、例えば、ｅＮＢ１０２、３１０、４０２は、エンハンスメント層のみの空間層に利用可能な合計エンハンスメント層電力を、全てのエンハンスメント層のみの空間層間で一様に分割する。例えば、エンハンスメント層のみの空間層に利用可能な合計エンハンスメント層電力は計算された後、エンハンスメント層のみの空間層の合計数で割られ得、当該合計数のエンハンスメント層のみの空間層の各々は、その電力の量を使用し得る。
【０１６８】
[00180]図９は、本明細書において説明されるシステムおよび方法に従う、ＮＯＭＡ通信のために構成されたＵＥにおけるＮＯＭＡ通信の方法のフローチャート９００である。ＵＥは、例えば、図１のＵＥ１０４、図３のＵＥ３５０、または図４のワイヤレスデバイス４０４、４０６のうちの１つであり得る。（図４の例において、ワイヤレスデバイス４０６は、第２のＵＥと仮定される。）図９において説明される方法は、第１のＵＥにおけるＮＯＭＡ通信の方法である。第１のＵＥは、ＮＯＭＡ通信のために構成され得る。（この例において、「第１のＵＥ」は、ＮＯＭＡ通信のために構成されているＵＥであり得る。図１１に関連して議論された例において、「第１のＵＥ」は、ＮＯＭＡ通信のために予め構成されていないＵＥであり得るベース層ＵＥであり得る）。
【０１６９】
[00181]ブロック９０２において、ＵＥ、例えば、ＵＥ１０４、３５０またはワイヤレスデバイス４０４、４０６は、ベース層上で第１のデータリソースエレメントを受信する。第１のデータリソースエレメントは、第２のＵＥのために構成されている。第２のＵＥのためのデータは、第２のＵＥのための第２のデータリソースエレメントを備える。第２のＵＥは、ＮＯＭＡ通信のために予め構成されていない。
【０１７０】
[00182]ブロック９０４において、ＵＥ（例えば、第２のＵＥ）、例えばＵＥ１０４、３５０またはワイヤレスデバイス４０４、４０６は、エンハンスメント層上で第１のＵＥのためのデータを受信する。ベース層は、エンハンスメント層とオーバーレイされる。
【０１７１】
[00183]ブロック９０６において、ＵＥ、例えば、ＵＥ１０４、３５０またはワイヤレスデバイス４０４、４０６は、基準信号を受信する。いくつかの例において、基準信号は、セル−固有の基準信号であり得る。他の例において、基準信号は、復調−基準信号であり得る。基準信号が復調−基準信号を備える例において、復調−基準信号は、第１のＵＥのための復調−基準信号であり得る。いくつかの例において、復調−基準信号は、２つの復調−基準信号を含み得る。２つの信号は、第１のＵＥのためのエンハンスメント層復調−基準信号と、第２のＵＥのための復調−基準信号とであり得る。第１のＵＥのためのエンハンスメント層復調−基準信号と、第２のＵＥのための復調−基準信号とは、オーバーラップし得る。いくつかの例は、チャネル推定または干渉推定のうちの少なくとも１つのために、第２のＵＥのための復調−基準信号、およびエンハンスメント層復調−基準信号を使用し得る。例えば、第２のＵＥのための復調−基準信号の電力、およびエンハンスメント層復調−基準信号の電力は、チャネル推定または干渉推定のうちの少なくとも１つのために使用され得る。例えば、チャネル推定は、第２のＵＥのための復調−基準信号の電力、およびエンハンスメント層復調−基準信号の電力に基づき得る。例えば、干渉推定は、第２のＵＥのための復調−基準信号の電力とエンハンスメント層復調−基準信号の電力との比較に基づき得る。
【０１７２】
[00184]ブロック９０８において、ＵＥ、例えば、ＵＥ１０４、３５０またはワイヤレスデバイス４０４、４０６は、第２のＵＥのための第１のデータリソースエレメントをキャンセルし得る。ＵＥはまた、第１のＵＥのためのデータを復号し得る。ＵＥが、第２のＵＥのための第１のデータリソースエレメントをキャンセルするとき、第２のＵＥのための第１のデータリソースエレメントは、使用されない。
【０１７３】
[00185]選択的に、ブロック９１０において、ＵＥ、例えば、ＵＥ１０４、３５０またはワイヤレスデバイス４０４、４０６は、第１のＵＥがＮＯＭＡ通信におけるベース層ＵＥであるときに第１のＵＥが従うべき第１のＵＥのトラフィック電力比を受信する。
【０１７４】
[00186]選択的に、ブロック９１２において、ＵＥ、例えば、ＵＥ１０４、３５０またはワイヤレスデバイス４０４、４０６は、セル−固有の基準信号（cell-specific reference signal）を使用して、第１のデータリソースエレメントを復調し、第１のＵＥトラフィック電力比とは区別された別個のトラフィック電力比を使用して、第２のＵＥのためのデータを復調する。例えば、別個のトラフィック電力比は、特に、第２のＵＥのための別個のトラフィック電力比、例えば、第２のＵＥトラフィック電力比であり得、一方、第１のＵＥトラフィック電力比は、第１のＵＥのみのためであり得る。トラフィック電力比は、スケジューリング信号のような特別の信号に割り振られた、合計送信エネルギーの部分（fraction）であり得る。従って、第１のＵＥトラフィック電力比は、第１のＵＥのためのスケジューリング信号のような特別の信号に割り振られた、合計送信エネルギーの部分であり得、一方、第２のＵＥトラフィック電力比は、第２のＵＥのためのスケジューリング信号のような特別の信号に割り振られた、合計送信エネルギーの部分であり得る。
【０１７５】
[00187]選択的に、ブロック９１４において、ＵＥ、例えば、ＵＥ１０４、３５０またはワイヤレスデバイス４０４、４０６は、干渉除去を実行する。例えば、ＵＥは、第１のＵＥであり得る。干渉は、第２のＵＥによって引き起こされ得る。第１のＵＥは、第１のＵＥのためのデータを受信するための情報を有し得る。第１のＵＥはまた、第２のＵＥのためのデータを受信するための情報を有し得る。第２のＵＥに送信されたデータは、第１のＵＥにおいて干渉を引き起こし得る。第１のＵＥは、第２のＵＥのためのデータを受信するための情報に関係したデータを使用して、干渉を除去し得る。
【０１７６】
[00188]図１０は、例示的な装置１００２における異なる手段／コンポーネント間のデータフローを例示する概念的データフロー図１０００である。装置１００２は、ｅＮＢであり得る。装置１００２は、例えば、第１のＵＥ１０５０または第２のＵＥ１０５２から送信１０１４を受信し得る受信コンポーネント１００４と、ベース層上で第１のＵＥ１０５０のための第１のデータリソースエレメント１０１６を送信するベース層コンポーネント１００６と、エンハンスメント層上で第２のＵＥ１０５２のためのデータ１０１８を送信するエンハンスメント層コンポーネント１００８と、そして、基準信号を含む信号１０２０を送信する送信コンポーネント１０１０とを含む。送信コンポーネントは、第１のＵＥがＮＯＭＡ通信におけるベース層ＵＥであるときに従うべき第１のＵＥトラフィック電力比、すなわち、第１のＵＥによって使用されるトラフィック電力比、を送信し得る。追加的に、送信コンポーネントは、第１のＵＥを、ＱＰＳＫを使用する変調および符号化スキームに限定するための信号を送信し得る。
【０１７７】
[00189]ある例において、装置１００２は、空間層が第１のＵＥおよび第２のＵＥによって共有されているとき、変調オーダーペア（modulation order pair）を使用して、ベース層電力からエンハンスメント層電力を決定する決定コンポーネント１０１２をさらに含み得る。ベース層電力からエンハンスメント層電力を決定することは、組み合わされたコンステレーションが一様であると限定されているとき実行され得る。第１のＵＥ１０５０は、ベース層ＵＥであり得る。第２のＵＥ１０５２は、エンハンスメント層ＵＥであり得る。受信コンポーネント１００４は、受信コンポーネントによって第１のＵＥ１０５０または第２のＵＥ１０１４から受信されたデータ１０２２、１０２４、１０２６のような受信されたデータ１０２２、１０２４、１０２６をパスし得る。送信１０１４から決定コンポーネント１０１２、ベース層コンポーネント１００６、および／またはエンハンスメント層コンポーネント１００８に。決定コンポーネントは、決定モジュールによってなされた決定１０２８を、送信コンポーネントのような他のコンポーネントにパスし得る。決定１０２８は、空間層が第１のＵＥおよび第２のＵＥによって共有されているとき、組み合わされたコンステレーションが一様であると限定されているとき、変調オーダーペアを使用して、ベース層電力からエンハンスメント層電力を決定することであり得る。
【０１７８】
[00190]装置は、前述された図７−８のフローチャートにおけるアルゴリズムのブロックの各々を実行する追加のコンポーネントを含み得る。そのようであるので、前述された図７−８のフローチャートにおける各ブロックは、コンポーネントによって実行され、装置は、それらのコンポーネントのうちの１つ以上を含み得る。コンポーネントは、特に、記載されたプロセス／アルゴリズムを実行するように構成された１つ以上のハードウェアコンポーネントであるか、記載されたプロセス／アルゴリズムを実行するように構成されたプロセッサによって実装されるか、プロセッサによる実装のためにコンピュータ可読媒体内に記憶されるか、またはそれらの何らかの組み合わせかであり得る。
【０１７９】
[00191]図１１は、例示的な装置１１０２における異なる手段／コンポーネント間のデータフローを例示する概念的データフロー図１１００である。装置は、ＵＥであり得る。装置１１０２は、信号１１２０、例えば、基準信号を受信する受信コンポーネント１１０４と、ベース層上で第１のデータリソースエレメント１１１６を受信するベース層コンポーネント１１０６と、エンハンスメント層上で第１のＵＥのためのデータ１１１８を受信するエンハンスメント層コンポーネント１１０８と、第２のＵＥ１１５４のための第１のデータリソースエレメントをキャンセルするキャンセレーション（cancellation）コンポーネント１１１２と、および第１のＵＥ１１５２のためのデータを復号する復号コンポーネントとを含む。キャンセレーションコンポーネント１１１２は、データ１１３０を受信コンポーネント１１０４から受信し、キャンセレーション（cancellation）１１２２を通信し得る。ベース層コンポーネント１１０６は、データ１１２４を送信コンポーネント１１１０に通信し得る。エンハンスメント層コンポーネント１１０８は、データ１１２６を送信コンポーネント１１１０に通信し得る。送信コンポーネント１１１０は、データ１１２８を１つ以上の基地局１１５０、第１のＵＥ１１５２、または第２のＵＥ１１５４に送信し得る。
【０１８０】
[00192]受信コンポーネント１１０４は、第２のＵＥがＮＯＭＡ通信におけるベース層ＵＥであるときに第２のＵＥが従うべき第２のＵＥ１１５４のトラフィック電力比を受信し得る。追加的に、受信コンポーネント１１０４は、セル−固有の基準信号を使用して、第１のデータリソースエレメントを復調し得、第２のＵＥ１１５４トラフィック電力比とは区別された別個のトラフィック電力比を使用して、第２のＵＥ１１５４のためのデータを復調すること。
【０１８１】
[00193]装置は、前述された図８−９のフローチャートにおけるアルゴリズムのブロックの各々を実行する追加のコンポーネントを含み得る。そのようであるので、前述された図８−９のフローチャートにおける各ブロックは、コンポーネントによって実行され、装置は、それらのコンポーネントのうちの１つ以上を含み得る。コンポーネントは、特に、記載されたプロセス／アルゴリズムを実行するように構成された１つ以上のハードウェアコンポーネントであるか、記載されたプロセス／アルゴリズムを実行するように構成されたプロセッサによって実装されるか、プロセッサによる実装のためにコンピュータ可読媒体内に記憶されるか、またはそれらの何らかの組み合わせかであり得る。
【０１８２】
[00194]図１２は、処理システム１２１４を採用する装置１００２’についてのハードウェア実装の例を例示する図１２００である。処理システム１２１４は、バス１２２４によって一般的に表示されるバスアーキテクチャで実装され得る。バス１２２４は、処理システム１２１４の特定の用途と全体的な設計の制約に依存して、任意の数の相互接続バスおよびブリッジを含み得る。バス１２２４は、プロセッサ１２０４、コンポーネント１００４、１００６、１００８、１０１０、１０１２、およびコンピュータ可読媒体／メモリ１２０６によって表示される、１つ以上のプロセッサおよび／またはハードウェアコンポーネントを含む様々な回路を互いにリンクする。バス１２２４はまた、タイミングソース、周辺機器、電圧レギュレータ、電力管理回路のような様々な他の回路をリンクさせ得るが、これらは、当該技術でよく知られているので、これ以上説明しない。
【０１８３】
[00195］処理システム１２１４は、トランシーバ１２１０に結合され得る。トランシーバ１２１０は、１つ以上のアンテナ１２２０に結合される。トランシーバ１２１０は、送信媒体を通して他の様々な装置と通信する手段を提供する。トランシーバ１２１０は、１つ以上のアンテナ１２２０から信号を受信し、受信された信号から情報を抽出し、抽出された情報を処理システム１２１４に提供する。特に、受信コンポーネントは、１つ以上のＵＥｓからデータを受信し得る。加えて、トランシーバ１２１０は、処理システム１２１４から情報を受信する。特に、送信コンポーネントは、ベース層上で第１のＵＥのための第１のデータリソースエレメントを送信する。第１のＵＥは、ＮＯＭＡ通信のために構成され得ないであろう。送信コンポーネントは、エンハンスメント層上で第２のＵＥのためのデータを送信し得る。第２のＵＥは、ＮＯＭＡ通信のために構成され得る。ベース層は、エンハンスメント層でオーバーレイされ得る。追加的に、送信コンポーネントは、基準信号を送信し得る。
【０１８４】
[00196]受信した情報に基づいて、１つ以上のアンテナ１２２０に適用される信号を生成する。処理システム１２１４は、コンピュータ可読媒体／メモリ１２０６に結合されたプロセッサ１２０４を含む。プロセッサ１２０４は、コンピュータ可読媒体／メモリ１２０６上に記憶されたソフトウェアの実施を含む、一般の処理に対して責任を負う。このソフトウェアは、プロセッサ１２０４によって実施されるとき、処理システム１２１４に、任意の特定の装置に関して後に説明される様々な機能を実行させる。コンピュータ可読媒体／メモリ１２０６はまた、ソフトウェアを実施するとき、プロセッサ１２０４によって操作されるデータを記憶するために使用され得る。処理システム１２１４は、コンポーネント１００４、１００６、１００８、１０１０、１０１２のうちの少なくとも１つをさらに含む。コンポーネントは、プロセッサ１２０４中で実行中であるか、コンピュータ可読媒体／メモリ１２０６中に存在する／記憶されたソフトウェアコンポーネントであるか、プロセッサ１２０４に結合された１つ以上のハードウェアコンポーネントであるか、またはそれらの何らかの組み合わせかであり得る。処理システム１２１４は、ｅＮＢ３１０のコンポーネントであり得、メモリ３７６および／または少なくとも１つのＴＸプロセッサ３１６、ＲＸプロセッサ３７０、およびコントローラ／プロセッサ３７５を含み得る。
【０１８５】
[00197]１つの構成において、ワイヤレス通信のための装置１００２／１００２’は、ベース層上で第１のＵＥのために第１のデータリソースエレメントを送信するための手段を含む。第１のＵＥは、ＮＯＭＡ通信のために構成され得ないであろう。追加的に、ワイヤレス通信のための装置１００２／１００２’は、エンハンスメント層上で第２のＵＥのためにデータを送信するための手段を含む。第２のＵＥは、ＮＯＭＡ通信のために構成され得る；ここにおいて、ベース層は、エンハンスメント層でオーバーレイされる。さらに、ワイヤレス通信のための装置１００２／１００２’は、基準信号を送信するための手段を含む。
【０１８６】
[00198]１つの構成において、ワイヤレス通信のための装置１００２／１００２’は、第１のＵＥがＮＯＭＡ通信におけるベース層ＵＥであるときに第１のＵＥが従うべき第１のＵＥのトラフィック電力比を送信するための手段を含み得る。１つの構成において、ワイヤレス通信のための装置１００２／１００２’は、第１のＵＥを、ＱＰＳＫを使用する変調および符号化スキームに限定するための信号を送信するための手段を含み得る。１つの構成において、ワイヤレス通信のための装置１００２／１００２’は、空間層が第１のＵＥおよび第２のＵＥによって共有されているとき、組み合わされたコンステレーションが一様であると限定されているとき、変調オーダーペアを使用して、ベース層電力からエンハンスメント層電力を決定するための手段を含み得る。第１のＵＥは、ベース層ＵＥを含み得、第２のＵＥは、エンハンスメント層ＵＥを含み得る。
【０１８７】
[00199]前述された手段は、前述された手段によって記載された機能を実行するように構成された装置１００２の処理システム１２１４および／または、装置１００２の１つ以上の前述されたコンポーネント、であり得る。先に述べたように、処理システム１２１４は、ＴＸプロセッサ３１６と、ＲＸプロセッサ３７０と、コントローラ／プロセッサ３７５とを含み得る。そのようであるので、１つの構成において、前述した手段は、前述した手段によって記載された機能を実行するように構成されたＴＸプロセッサ３１６、ＲＸプロセッサ３７０、コントローラ／プロセッサ３７５であり得る。
【０１８８】
[00200]前述された手段は、前述された手段によって記載された機能を実行するように構成された装置１００２の処理システム１２１４および／または、装置１００２の１つ以上の前述されたコンポーネントであり得る。先に述べたように、処理システム１２１４は、ＴＸプロセッサ３６８と、ＲＸプロセッサ３５６と、コントローラ／プロセッサ３５９とを含み得る。そのようであるので、１つの構成において、前述した手段は、前述した手段によって記載された機能を実行するように構成されたＴＸプロセッサ３６８、ＲＸプロセッサ３５６、コントローラ／プロセッサ３５９であり得る。
【０１８９】
[00201]図１３は、処理システム１３１４を採用する装置１１０２’についてのハードウェア実装の例を例示する図１３００である。処理システム１３１４は、バス１３２４によって一般的に表示されるバスアーキテクチャで実装され得る。バス１３２４は、処理システム１３１４の特定の用途と全体的な設計の制約に依存して、任意の数の相互接続バスおよびブリッジを含み得る。バス１３２４は、プロセッサ１３０４、コンポーネント１１０４、１１０６、１１０８、１１１０、１１２、およびコンピュータ可読媒体／メモリ１３０６によって表示される、１つ以上のプロセッサおよび／またはハードウェアコンポーネントを含む様々な回路を互いにリンクする。バス１３２４はまた、タイミングソース、周辺機器、電圧レギュレータ、電力管理回路のような様々な他の回路をリンクさせ得るが、これらは、当該技術でよく知られているので、これ以上説明しない。
【０１９０】
[00202］処理システム１３１４は、トランシーバ１３１０に結合され得る。トランシーバ１３１０は、１つ以上のアンテナ１３２０に結合される。トランシーバ１３１０は、送信媒体を通して他の様々な装置と通信するための手段を提供する。トランシーバ１３１０は、１つ以上のアンテナ１３２０から信号を受信し、受信された信号から情報を抽出し、抽出された情報を処理システム１３１４に提供する、特に、受信コンポーネントは、ベース層上で第１のデータリソースを受信し得る。第１のデータリソースエレメントは、第２のＵＥのために構成されているであろう。第２のＵＥは、ＮＯＭＡ通信のために予め構成され得ないであろう。受信コンポーネントは、エンハンスメント層上で第１のＵＥのためのデータを受信し得る。ベース層は、エンハンスメント層でオーバーレイされ得る。受信コンポーネントは、基準信号を受信し得る。加えて、トランシーバ１３１０は、処理システム１３１４から情報を受領する。特に、送信コンポーネントは、基地局または他のＵＥｓにデータを送信し得る。
【０１９１】
[00203]受信した情報に基づいて、１つ以上のアンテナ１３２０に適用される信号を生成する。処理システム１３１４は、コンピュータ可読媒体／メモリ１３０６に結合されたプロセッサ１３０４を含む。プロセッサ１３０４は、コンピュータ可読媒体／メモリ１３０６上に記憶されたソフトウェアの実施を含む、一般の処理に対して責任を負う。このソフトウェアは、プロセッサ１３０４によって実施されるとき、処理システム１３１４に、任意の特定の装置に関して後に説明される様々な機能を実行させる。コンピュータ可読媒体／メモリ１３０６はまた、ソフトウェアを実施するとき、プロセッサ１３０４によって操作されるデータを記憶するために使用され得る。処理システム１３１４は、コンポーネント１１０４、１１０６、１１０８、１１１０、１１１２のうちの少なくとも１つをさらに含む。コンポーネントは、プロセッサ１３０４中で実行中であるか、コンピュータ可読媒体／メモリ１３０６中に存在する／記憶されたソフトウェアコンポーネントであるか、プロセッサ１３０４に結合された１つ以上のハードウェアコンポーネントであるか、またはそれらの何らかの組み合わせかであり得る。処理システム１３１４は、ＵＥ３５０のコンポーネントであり得、メモリ３６０および／または少なくとも１つのＴＸプロセッサ３６８、ＲＸプロセッサ３５６、およびコントローラ／プロセッサ３５９を含み得る。
【０１９２】
[00204]１つの構成において、ワイヤレス通信のための装置１１０２／１１０２’は、ベース層上で第１のデータリソースエレメントを受信するための手段を含む。第１のデータリソースエレメントは、第２のＵＥのために構成される。第２のＵＥは、ＮＯＭＡ通信のために予め構成されていない。ワイヤレス通信のための装置１１０２／１１０２’は、エンハンスメント層上で第１のＵＥのためのデータを受信するための手段を含む。ベース層は、エンハンスメント層でオーバーレイされる。追加的に、ワイヤレス通信のための装置１１０２／１１０２’は、基準信号を受信するための手段を含む。さらに、ワイヤレス通信のための装置１１０２／１１０２’は、第２のＵＥのための第１のデータリソースエレメントをキャンセルし、および第１のＵＥのためのデータを復号するための手段を含む。
【０１９３】
[00205]他の例において、ワイヤレス通信のための装置１１０２／１１０２’は、第２のＵＥがＮＯＭＡ通信におけるベース層ＵＥであるときに第２のＵＥが従うべき第２のＵＥトラフィック電力比を受信するための手段を含み得る。
【０１９４】
[00206]他の例において、ワイヤレス通信のための装置１１０２／１１０２’は、セル−固有の基準信号を使用して、第１のデータリソースエレメントを復調するための手段と、第２のＵＥトラフィック電力比とは区別された別個のトラフィック電力比を使用して、第２のＵＥのためのデータを復調するための手段を含み得る。
【０１９５】
[00207］前述された手段は、前述された手段によって記載された機能を実行するように構成された装置１１０２’の処理システム１３１４および／または装置１１０２の１つ以上の前述されたコンポーネントであり得る。先に述べたように、処理システム１３１４は、ＴＸプロセッサ３６８と、ＲＸプロセッサ３５６と、コントローラ／プロセッサ３５９とを含み得る。そのようであるので、１つの構成において、前述した手段は、前述した手段によって記載された機能を実行するように構成されたＴＸプロセッサ３６８、ＲＸプロセッサ３５６、コントローラ／プロセッサ３５９であり得る。
【０１９６】
[00208]開示されたプロセス／フローチャートにおけるブロックの特定の順序または階層は、例示的アプローチの例示であることが理解される。設計の優先性に基づいて、これらのプロセス／フローチャートにおけるブロックの特定の順序または階層は、並べ替えられ得るということが理解される。さらに、いくつかのブロックは、組み合わされるか、または省略され得る。添付の方法の請求項は、サンプルの順序において様々なブロックの要素を提示しているが、提示された特定の順序または階層に限定されるようには意図されていない。
【０１９７】
[00209］先の説明は、当業者に、本明細書において説明された様々な態様の実現を可能にさせるために提供されている。これらの態様への様々な変更は、当業者には容易に明らかになり、本明細書で定義される包括的な本質は、他の態様に適用され得る。よって、請求項は、本明細書で指し示される態様に限定されることは意図されておらず、しかし請求項の用語と一貫する全ての範囲が与えられるべきであり、ここにおいて単数形の要素への参照は、特別にそのように述べられない限り「１つおよびただ１つ」を意味するように意図されず、むしろ「１つ以上の」を意味するように意図される。用語「例示的」は、本明細書において、「例、事例、または実例としての役割を果たす」という意味で使用される。「例示的」なものとして本明細書において説明される任意の態様は、必ずしも、他の態様よりも好ましい、または利点を有するものと解釈されるべきではない。そうでないことが特に述べられていない限り、用語「いくつかの」は、１つ以上のことを指している。「Ａ、Ｂ、またはＣのうちの少なくとも１つ」、「１つ以上のＡ、Ｂ、およびＣ」、および「Ａ、Ｂ、Ｃ、またはこれらの任意の組み合わせ」のような組み合わせは、Ａ、Ｂ、および／またはＣの任意の組み合わせを含み、複数のＡ、複数のＢ、または、複数のＣを含み得る。特に、「Ａ、Ｂ、またはＣのうちの少なくとも１つ」、「１つ以上のＡ、Ｂ、およびＣ」、および「Ａ、Ｂ、Ｃ、またはこれらの任意の組み合わせ」のような組み合わせは、Ａのみ、Ｂのみ、Ｃのみ、ＡとＢ、ＡとＣ、ＢとＣ、またはＡとＢとＣであることができ、ここで、このような任意の組み合わせが、Ａ、Ｂ、またはＣの１つ以上のメンバーあるいは複数のメンバーを含み得る。当業者に既知である、あるいは後に知られることになる、本開示全体にわたって説明された様々な態様のエレメントに対する全ての構造的および機能的な均等物は、参照によって本明細書に明確に組み込まれ、特許請求の範囲によって包含されるよう意図されている。さらにまた、本明細書において開示されたものが、特許請求の範囲中に明示的に列挙されているか否かにかかわらず、公共に捧げられることを意図していない。用語「モジュール」、「メカニズム」、「エレメント」、「デバイス」、およびそのようなものは、用語「手段」の代わりではないであろう。そのようであるので、どの特許請求の範囲の要素も、要素が「のための手段」というフレーズを明確に使用して記載されていない限り、手段プラス機能（means plus function）として解釈されるべきではない。
【図１】
2020025286.tif 000003
【図２Ａ】
2020025286.tif 000004
【図２Ｂ】
2020025286.tif 000005
【図２Ｃ】
2020025286.tif 000006
【図２Ｄ】
2020025286.tif 000007
【図３】
2020025286.tif 000008
【図４】
2020025286.tif 000009
【図５】
2020025286.tif 000010
【図６】
2020025286.tif 000011
【図７】
2020025286.tif 000012
【図８】
2020025286.tif 000013
【図９】
2020025286.tif 000014
【図１０】
2020025286.tif 000015
【図１１】
2020025286.tif 000016
【図１２】
2020025286.tif 000017
【図１３】
2020025286.tif 000018
【手続補正書】
【提出日】令和1年10月24日(2019.10.24)
【手続補正１】
【補正対象書類名】特許請求の範囲
【補正対象項目名】全文
【補正方法】変更
【補正の内容】
【特許請求の範囲】
【請求項１】
非直交多元接続（ＮＯＭＡ）通信のための基地局であって、
メモリと、および
前記メモリに結合された少なくとも１つのプロセッサと、を備え、前記少なくとも１つのプロセッサは、
ベース層上で第１のユーザ機器（ＵＥ）のための第１のデータリソースエレメントを送信することと、前記第１のＵＥはＮＯＭＡ通信のために構成されていない、
エンハンスメント層上で第２のＵＥのためのデータを送信することと、前記第２のＵＥはＮＯＭＡ通信のために構成されており、ここにおいて、前記ベース層は前記エンハンスメント層とオーバーレイされる、
基準信号を送信することと、および
空間層が前記第１のＵＥおよび前記第２のＵＥによって共有されているとき、組み合わされたコンステレーションが一様であると限定されているとき、変調オーダーペアを使用してベース層電力からエンハンスメント層電力を決定することと、ここにおいて、前記第１のＵＥはベース層ＵＥを備え、前記第２のＵＥはエンハンスメント層ＵＥを備える
を行うように構成される、基地局。
【請求項２】
前記基準信号はセル−固有の基準信号を備える、請求項１に記載の基地局。
【請求項３】
前記プロセッサは、前記第１のＵＥがＮＯＭＡ通信におけるベース層ＵＥであるときに前記第１のＵＥが従うべき前記第１のＵＥのためのトラフィック電力比を送信するようにさらに構成される、請求項２に記載の基地局。
【請求項４】
前記プロセッサは、前記第１のＵＥを４相位相変調（ＱＰＳＫ）を使用する変調および符号化スキームに限定するための信号を送信するようにさらに構成される、請求項１に記載の基地局。
【請求項５】
前記基準信号は、復調−基準信号を備える、請求項１に記載の基地局。
【請求項６】
前記第１のＵＥのための復調−基準信号で除算された第１のＵＥのトラフィック電力比は０ｄＢである、請求項５に記載の基地局。
【請求項７】
前記復調−基準信号は、第２のＵＥのエンハンスメント層復調−基準信号および第１のＵＥの復調−基準信号を備え、ここにおいて、前記第２のＵＥのための前記第２のＵＥのエンハンスメント層復調−基準信号と前記第１のＵＥの復調−基準信号とはオーバーラップする、請求項５に記載の基地局。
【請求項８】
前記第１のＵＥのためのトラフィック電力比は前記復調−基準信号に対して０ｄＢであり、前記第２のＵＥのトラフィック電力比はエンハンスメント層復調−基準信号に対して０ｄＢである、請求項５に記載の基地局。
【請求項９】
ＮＯＭＡ通信のために構成された第１のユーザ機器（ＵＥ）を備える装置であって、前記第１のＵＥは、
メモリと、および
前記メモリに結合された少なくとも１つのプロセッサと、を備え、前記少なくとも１つのプロセッサは、
ベース層上で第１のデータリソースエレメントを受信することと、前記第１のデータリソースエレメントは第２のＵＥのために構成されており、前記第２のＵＥはＮＯＭＡ通信のために予め構成されていない、
エンハンスメント層上で前記第１のＵＥのためのデータを受信することと、前記ベース層は前記エンハンスメント層でオーバーレイされる、
基準信号を受信することと、
前記第２のＵＥのための前記第１のデータリソースエレメントをキャンセルし、前記第１のＵＥのための前記データを復号することと、
前記第２のＵＥがＮＯＭＡ通信におけるベース層ＵＥであるときに前記第２のＵＥが従うべき前記第２のＵＥのためのトラフィック電力比を受信することと、および
セル−固有の基準信号を使用して前記第１のデータリソースエレメントを復調し、前記第２のＵＥのトラフィック電力比とは区別された別個のトラフィック電力比を使用して第２のＵＥのための第２のデータを復調することと
を行うように構成される、装置。
【請求項１０】
前記基準信号は、セル−固有の基準信号を備える、請求項９に記載の装置。
【請求項１１】
前記基準信号は、復調−基準信号を備える、請求項９に記載の装置。
【手続補正２】
【補正対象書類名】明細書
【補正対象項目名】０１９７
【補正方法】変更
【補正の内容】
【０１９７】
[00209］先の説明は、当業者に、本明細書において説明された様々な態様の実現を可能にさせるために提供されている。これらの態様への様々な変更は、当業者には容易に明らかになり、本明細書で定義される包括的な本質は、他の態様に適用され得る。よって、請求項は、本明細書で指し示される態様に限定されることは意図されておらず、しかし請求項の用語と一貫する全ての範囲が与えられるべきであり、ここにおいて単数形の要素への参照は、特別にそのように述べられない限り「１つおよびただ１つ」を意味するように意図されず、むしろ「１つ以上の」を意味するように意図される。用語「例示的」は、本明細書において、「例、事例、または実例としての役割を果たす」という意味で使用される。「例示的」なものとして本明細書において説明される任意の態様は、必ずしも、他の態様よりも好ましい、または利点を有するものと解釈されるべきではない。そうでないことが特に述べられていない限り、用語「いくつかの」は、１つ以上のことを指している。「Ａ、Ｂ、またはＣのうちの少なくとも１つ」、「１つ以上のＡ、Ｂ、およびＣ」、および「Ａ、Ｂ、Ｃ、またはこれらの任意の組み合わせ」のような組み合わせは、Ａ、Ｂ、および／またはＣの任意の組み合わせを含み、複数のＡ、複数のＢ、または、複数のＣを含み得る。特に、「Ａ、Ｂ、またはＣのうちの少なくとも１つ」、「１つ以上のＡ、Ｂ、およびＣ」、および「Ａ、Ｂ、Ｃ、またはこれらの任意の組み合わせ」のような組み合わせは、Ａのみ、Ｂのみ、Ｃのみ、ＡとＢ、ＡとＣ、ＢとＣ、またはＡとＢとＣであることができ、ここで、このような任意の組み合わせが、Ａ、Ｂ、またはＣの１つ以上のメンバーあるいは複数のメンバーを含み得る。当業者に既知である、あるいは後に知られることになる、本開示全体にわたって説明された様々な態様のエレメントに対する全ての構造的および機能的な均等物は、参照によって本明細書に明確に組み込まれ、特許請求の範囲によって包含されるよう意図されている。さらにまた、本明細書において開示されたものが、特許請求の範囲中に明示的に列挙されているか否かにかかわらず、公共に捧げられることを意図していない。用語「モジュール」、「メカニズム」、「エレメント」、「デバイス」、およびそのようなものは、用語「手段」の代わりではないであろう。そのようであるので、どの特許請求の範囲の要素も、要素が「のための手段」というフレーズを明確に使用して記載されていない限り、手段プラス機能（means plus function）として解釈されるべきではない。
以下に本願の出願当初の特許請求の範囲に記載された発明を付記する。
［Ｃ１］
基地局における非直交多元接続（ＮＯＭＡ）通信の方法であって、
ベース層上で第１のユーザ機器（ＵＥ）のための第１のデータリソースエレメントを送信することと、前記第１のＵＥはＮＯＭＡ通信のために構成されていない、
エンハンスメント層上で第２のＵＥのためのデータを送信することと、前記第２のＵＥはＮＯＭＡ通信のために構成されており、ここにおいて、前記ベース層は前記エンハンスメント層とオーバーレイされる、および
基準信号を送信することと
を備える、方法。
［Ｃ２］
前記基準信号はセル−固有の基準信号を備える、Ｃ１に記載の方法。
［Ｃ３］
前記第１のＵＥがＮＯＭＡ通信におけるベース層ＵＥであるときに前記第１のＵＥが従うべき第１のＵＥのトラフィック電力比を送信することをさらに備える、Ｃ２に記載の方法。
［Ｃ４］
前記第１のＵＥを４相位相変調（ＱＰＳＫ）を使用する変調および符号化スキームに限定するための信号を送信することをさらに備える、Ｃ１に記載の方法。
［Ｃ５］
第１のＵＥの復調−基準信号に対する第１のＵＥのトラフィック電力比は、０ｄＢである、Ｃ１に記載の方法。
［Ｃ６］
前記基準信号は復調−基準信号を備える、Ｃ１に記載の方法。
［Ｃ７］
前記復調−基準信号は、第１のＵＥのエンハンスメント層復調−基準信号および第２のＵＥの復調−基準信号を備え、ここにおいて、前記第１のＵＥのための前記第１のＵＥのエンハンスメント層復調−基準信号と前記第２のＵＥの復調−基準信号とはオーバーラップし、前記方法は、前記第１のＵＥのエンハンスメント層復調−基準信号および前記第２のＵＥの復調−基準信号を、チャネル推定または干渉推定のうちの少なくとも１つのために使用することをさらに備える、Ｃ６に記載の方法。
［Ｃ８］
前記第１のＵＥのためのトラフィック電力比は、前記復調−基準信号に対して０ｄＢであり、前記第２のＵＥのトラフィック電力比は、前記エンハンスメント層復調−基準信号に対して０ｄＢである、Ｃ７に記載の方法。
［Ｃ９］
空間層が前記第１のＵＥおよび前記第２のＵＥによって共有されているとき、組み合わされたコンステレーションが一様であると限定されているとき、変調オーダーペアを使用してベース層電力からエンハンスメント層電力を決定することをさらに備え、ここにおいて、前記第１のＵＥはベース層ＵＥを備え、前記第２のＵＥはエンハンスメント層ＵＥを備える、Ｃ１に記載の方法。
［Ｃ１０］
第１のユーザ機器（ＵＥ）における非直交多元接続（ＮＯＭＡ）通信の方法であって、前記第１のＵＥはＮＯＭＡ通信のために構成されており、前記方法は、
ベース層上で第１のデータリソースエレメントを受信することと、前記第１のデータリソースエレメントは第２のＵＥのために構成されており、前記第２のＵＥはＮＯＭＡ通信のために予め構成されていない、
エンハンスメント層上で前記第１のＵＥのためのデータを受信することと、前記ベース層は前記エンハンスメント層とオーバーレイされる、
基準信号を受信することと、および
前記第２のＵＥのための前記第１のデータリソースエレメントをキャンセルし、前記第１のＵＥのための前記データを復号することと
を備える、方法。
［Ｃ１１］
前記基準信号はセル−固有の基準信号を備える、Ｃ１０に記載の方法。
［Ｃ１２］
前記第２のＵＥがＮＯＭＡ通信におけるベース層ＵＥであるときに前記第２のＵＥが従うべき第２のＵＥのトラフィック電力比を受信することをさらに備える、Ｃ１１に記載の方法。
［Ｃ１３］
前記セル−固有の基準信号を使用して前記第１のデータリソースエレメントを復調することと、前記第２のＵＥのトラフィック電力比とは区別された別個のトラフィック電力比を使用して前記第２のＵＥのための第２のデータを復調することと、をさらに備える、Ｃ１２に記載の方法。
［Ｃ１４］
前記基準信号は、復調−基準信号を備える、Ｃ１０に記載の方法。
［Ｃ１５］
前記復調−基準信号は、第１のＵＥの復調−基準信号を備える、Ｃ１４に記載の方法。
［Ｃ１６］
前記復調−基準信号は、第１のＵＥのエンハンスメント層復調−基準信号および第２のＵＥの復調−基準信号を備え、ここにおいて、前記第１のＵＥのための前記第１のＵＥのエンハンスメント層復調−基準信号と前記第２のＵＥの復調−基準信号とはオーバーラップし、前記方法は、前記第１のＵＥのエンハンスメント層復調−基準信号および前記第２のＵＥの復調−基準信号を、チャネル推定または干渉推定のうちの少なくとも１つのために使用することをさらに備える、Ｃ１４に記載の方法。
［Ｃ１７］
非直交多元接続（ＮＯＭＡ）通信のための基地局であって、
メモリと、および
前記メモリに結合された少なくとも１つのプロセッサと、を備え、前記少なくとも１つのプロセッサは、
ベース層上で第１のユーザ機器（ＵＥ）のための第１のデータリソースエレメントを送信することと、前記第１のＵＥはＮＯＭＡ通信のために構成されていない、
エンハンスメント層上で第２のＵＥのためのデータを送信することと、前記第２のＵＥはＮＯＭＡ通信のために構成されており、ここにおいて、前記ベース層は前記エンハンスメント層とオーバーレイされる、および
基準信号を送信することと
を行うように構成される、基地局。
［Ｃ１８］
前記基準信号はセル−固有の基準信号を備える、Ｃ１７に記載の基地局。
［Ｃ１９］
前記少なくとも１つのプロセッサは、前記第１のＵＥがＮＯＭＡ通信におけるベース層ＵＥであるときに前記第１のＵＥが従うべき前記第１のＵＥのためのトラフィック電力比を送信するようにさらに構成される、Ｃ１８に記載の基地局。
［Ｃ２０］
前記少なくとも１つのプロセッサは、前記第１のＵＥを４相位相変調（ＱＰＳＫ）を使用する変調および符号化スキームに限定するための信号を送信するようにさらに構成される、Ｃ１７に記載の基地局。
［Ｃ２１］
前記基準信号は、復調−基準信号を備える、Ｃ１７に記載の基地局。
［Ｃ２２］
前記第１のＵＥのための復調−基準信号で除算された第１のＵＥのトラフィック電力比は０ｄＢである、Ｃ２１に記載の基地局。
［Ｃ２３］
前記復調−基準信号は、第２のＵＥのエンハンスメント層復調−基準信号および第１のＵＥの復調−基準信号を備え、ここにおいて、前記第２のＵＥのエンハンスメント層復調−基準信号および前記第１のＵＥの復調−基準信号、Ｃ２１に記載の基地局。
［Ｃ２４］
前記第１のＵＥのためのトラフィック電力比は前記復調−基準信号に対して０ｄＢであり、前記第２のＵＥのトラフィック電力比はエンハンスメント層復調−基準信号に対して０ｄＢである、Ｃ２１に記載の基地局。
［Ｃ２５］
前記少なくとも１つのプロセッサは、空間層が前記第１のＵＥおよび前記第２のＵＥによって共有されているとき、組み合わされたコンステレーションが一様であると限定されているとき、変調オーダーペアを使用してベース層電力からエンハンスメント層電力を決定するようにさらに構成され、ここにおいて、前記第１のＵＥはベース層ＵＥを備え、前記第２のＵＥはエンハンスメント層ＵＥを備える、Ｃ１７に記載の基地局。
［Ｃ２６］
ＮＯＭＡ通信のために構成された第１のユーザ機器（ＵＥ）を備える装置であって、前記第１のＵＥは、
メモリと、および
前記メモリに結合された少なくとも１つのプロセッサと、を備え、前記少なくとも１つのプロセッサは、
ベース層上で第１のデータリソースエレメントを受信することと、前記第１のデータリソースエレメントは第２のＵＥのために構成されており、前記第２のＵＥはＮＯＭＡ通信のために予め構成されていない、
エンハンスメント層上で前記第１のＵＥのためのデータを受信することと、前記ベース層は前記エンハンスメント層とオーバーレイされる、
基準信号を受信することと、および
前記第２のＵＥのための前記第１のデータリソースエレメントをキャンセルし、前記第１のＵＥのための前記データを復号することと、
を行うように構成される、装置。
［Ｃ２７］
前記基準信号は、セル−固有の基準信号を備える、Ｃ２６に記載の装置。
［Ｃ２８］
前記少なくとも１つのプロセッサは、前記第２のＵＥがＮＯＭＡ通信におけるベース層ＵＥであるときに前記第２のＵＥが従うべき前記第２のＵＥのためのトラフィック電力比を受信するようにさらに構成される、Ｃ２７に記載の装置。
［Ｃ２９］
前記少なくとも１つのプロセッサは、前記セル−固有の基準信号を使用して前記第１のデータリソースエレメントを復調し、前記第２のＵＥのトラフィック電力比とは区別された別個のトラフィック電力比を使用して第２のＵＥのための第２のデータを復調するようにさらに構成される、Ｃ２８に記載の装置。
［Ｃ３０］
前記基準信号は、復調−基準信号を備える、Ｃ２６に記載の装置。
【外国語明細書】
2020025286000001.pdf